(57)【要約】  グラントフリー伝送用の通信リソースは、通信システムにおいてユーザ機器（ＵＥ）に割り当てられる。アップリンクグラントフリーデータ伝送用のダイバーシチチャネルは、ＵＥに割り当てられるアップリンクグラントフリー伝送リソースを含む。アップリンクグラントフリー伝送リソースは、アクセス領域のパーティションに対応する１又は複数の位置と、アクセス領域の各パーティション内のリソースエレメント（ＲＥ）に対応する１又は複数の位置を含む。ＵＥにおいて、アップリンクの最初のデータ伝送及び後続の伝送は、ネットワーク機器からグラント情報を受信することなく、ダイバーシチチャネルにおいて、ＵＥにより伝送される。ネットワーク機器において、アップリンクの最初のデータ伝送及び後続の伝送は、ＵＥにグラント情報を伝送することなく、ダイバーシチチャネルにおいて受信される。
2019537851.tif 000002
【特許請求の範囲】
【請求項１】
アップリンクデータ伝送のための方法であって、
ユーザ機器（ＵＥ）により、アップリンクグラントフリーデータ伝送のための少なくとも１つのダイバーシチチャネルを取得する段階であって、前記少なくとも１つのダイバーシチチャネルは、前記ＵＥに割り当てられるアップリンクグラントフリー伝送リソースを有し、前記アップリンクグラントフリー伝送リソースは、アクセス領域のパーティションに対応する１又は複数の位置と、前記アクセス領域の各パーティション内のリソースエレメント（ＲＥ）に対応する１又は複数の位置とを有する、段階と、
前記ＵＥにより、ネットワーク機器からグラント情報を受信することなく、前記少なくとも１つのダイバーシチチャネルにおいてアップリンクの最初のデータ伝送及び後続の伝送を伝送する段階と
を備える方法。
【請求項２】
前記アクセス領域内の、前記ＵＥに割り当てられる前記ＲＥは、非連続的である、請求項１に記載の方法。
【請求項３】
前記ＵＥにより、前記少なくとも１つのダイバーシチチャネルを示すためのシグナリングを受信する段階であって、前記シグナリングは、前記少なくとも１つのダイバーシチチャネルとの間で予め定められた関係を有する少なくとも１つのインデックスを有する、段階をさらに備える、請求項１から２のいずれか一項に記載の方法。
【請求項４】
前記少なくとも１つのダイバーシチチャネルは、前記ＵＥの識別情報と関連付けられており、前記ＵＥは、前記ＵＥの前記識別情報に基づいて、ルックアップテーブルから前記少なくとも１つのダイバーシチチャネルを取得する、請求項１から３のいずれか一項に記載の方法。
【請求項５】
前記少なくとも１つのダイバーシチチャネルは、関数ｆ１及びｆ２により規定される２レベルダイバーシチチャネルであり、
ｆ１（ｍ１、Ｎ１）であり、ｍ１は、前記ダイバーシチチャネルに対して割り当てられるパーティションの数であり、Ｎ１は、前記アクセス領域内のパーティションの総数であり、
ｆ２（ｍ２、Ｎ２）であり、ｍ２は、前記ＵＥに対して割り当てられるＲＥの数であり、Ｎ２は、各パーティションにおけるＲＥの総数である、請求項１から４のいずれか一項に記載の方法。
【請求項６】
前記ネットワーク機器から否定応答（ＮＡＣＫ）を前記ＵＥが受信した後に、又は、肯定応答（ＡＣＫ）／ＮＡＣＫなしのスキームに基づいて、前記ＵＥにより、前記少なくとも１つのダイバーシチチャネルにおいて前記後続の伝送を伝送する段階をさらに備える、請求項１から５のいずれか一項に記載の方法。
【請求項７】
アップリンクデータ伝送のための方法であって、
ネットワーク機器により、第１のユーザ機器（ＵＥ）にグラント情報を伝送することなく、第１のダイバーシチチャネルにおいて、前記第１のＵＥからアップリンクの最初のデータ伝送及び後続の伝送を受信する段階
を備え、
前記第１のダイバーシチチャネルは、前記第１のＵＥに割り当てられるアップリンクグラントフリー伝送リソースを有し、前記アップリンクグラントフリー伝送リソースは、アクセス領域のパーティションに対応する１又は複数の位置と、前記アクセス領域の各パーティション内のリソースエレメント（ＲＥ）に対応する１又は複数の位置とを有する、方法。
【請求項８】
前記ネットワーク機器により、第２のＵＥにグラント情報を伝送することなく、第２のダイバーシチチャネルにおいて、前記第２のＵＥからアップリンクの最初のデータ伝送及び後続の伝送を受信する段階をさらに備え、
前記第１のダイバーシチチャネルは、前記第２のダイバーシチチャネルと部分的に重複する少なくとも１つのＲＥを有する、請求項７に記載の方法。
【請求項９】
前記ネットワーク機器により、前記第１のダイバーシチチャネルを示すためのシグナリングを伝送する段階であって、前記シグナリングは、前記第１のダイバーシチチャネルとの間で予め定められた関係を有する少なくとも１つのインデックスを有する、段階をさらに備える、請求項７から８のいずれか一項に記載の方法。
【請求項１０】
前記第１のダイバーシチチャネルは、前記第１のＵＥの識別情報と関連付けられており、前記第１のＵＥの前記識別情報は、前記第１のダイバーシチチャネルとの間で予め定められた関係を有する、請求項７から９のいずれか一項に記載の方法。
【請求項１１】
前記第１のダイバーシチチャネルは、関数ｆ１及びｆ２により規定される２レベルダイバーシチチャネルであり、
ｆ１（ｍ１、Ｎ１）であり、ｍ１は、前記ダイバーシチチャネルに対して割り当てられるパーティションの数であり、Ｎ１は、前記アクセス領域内のパーティションの総数であり、
ｆ２（ｍ２、Ｎ２）であり、ｍ２は、前記ＵＥに対して割り当てられるＲＥの数であり、Ｎ２は、各パーティションにおけるＲＥの総数である、請求項７から１０のいずれか一項に記載の方法。
【請求項１２】
ユーザ機器（ＵＥ）であって、
アップリンクグラントフリーデータ伝送のための少なくとも１つのダイバーシチチャネルを取得するように構成されるプロセッサであって、前記少なくとも１つのダイバーシチチャネルは、前記ＵＥに割り当てられるアップリンクグラントフリー伝送リソースを有し、前記アップリンクグラントフリー伝送リソースは、アクセス領域のパーティションに対応する１又は複数の位置と、前記アクセス領域の各パーティション内のリソースエレメント（ＲＥ）に対応する１又は複数の位置とを有する、プロセッサと、
前記プロセッサに動作可能に結合され、ネットワークからグラント情報を受信することなく、前記少なくとも１つのダイバーシチチャネルにおいてアップリンクの最初のデータ伝送及び後続の伝送を伝送する送信機と
を備えるＵＥ。
【請求項１３】
前記アクセス領域内の、前記ＵＥに割り当てられる前記ＲＥは、非連続的である、請求項１２に記載のＵＥ。
【請求項１４】
前記プロセッサに結合され、前記少なくとも１つのダイバーシチチャネルを示すためのシグナリングを受信する受信機であって、前記シグナリングは、前記少なくとも１つのダイバーシチチャネルとの間で予め定められた関係を有する少なくとも１つのインデックスを有する、受信機をさらに備える、請求項１２から１３のいずれか一項に記載のＵＥ。
【請求項１５】
前記プロセッサに結合され、前記少なくとも１つのダイバーシチチャネルが前記ＵＥの識別情報と関連付けられるルックアップテーブルを格納するメモリをさらに備え、
前記プロセッサは、前記ＵＥの前記識別情報に基づいて、前記ルックアップテーブルから前記少なくとも１つのダイバーシチチャネルを取得するように構成される、
請求項１２から１４のいずれか一項に記載のＵＥ。
【請求項１６】
前記少なくとも１つのダイバーシチチャネルは、関数ｆ１及びｆ２により規定される２レベルダイバーシチチャネルであり、
ｆ１（ｍ１、Ｎ１）であり、ｍ１は、前記ダイバーシチチャネルに対して割り当てられるパーティションの数であり、Ｎ１は、前記アクセス領域内のパーティションの総数であり、
ｆ２（ｍ２、Ｎ２）であり、ｍ２は、前記ＵＥに対して割り当てられるＲＥの数であり、Ｎ２は、各パーティションにおけるＲＥの総数である、請求項１２から１５のいずれか一項に記載のＵＥ。
【請求項１７】
送信機と、
第１のユーザ機器（ＵＥ）にグラント情報を伝送することなく、第１のダイバーシチチャネルにおいて、前記第１のＵＥからアップリンクの最初のデータ伝送及び後続の伝送を受信する受信機と
を備え、
前記第１のダイバーシチチャネルは、前記第１のＵＥに割り当てられるアップリンクグラントフリー伝送リソースを有し、前記アップリンクグラントフリー伝送リソースは、アクセス領域のパーティションに対応する１又は複数の位置と、前記アクセス領域の各パーティション内のリソースエレメント（ＲＥ）に対応する１又は複数の位置とを有する、ネットワーク機器。
【請求項１８】
前記受信機は、第２のＵＥにグラント情報を伝送することなく、第２のダイバーシチチャネルにおいて、前記第２のＵＥからアップリンクの最初のデータ伝送及び後続の伝送を受信するようにさらに構成され、
前記第１のダイバーシチチャネルは、前記第２のダイバーシチチャネルと部分的に重複する少なくとも１つのＲＥを有する、請求項１７に記載のネットワーク機器。
【請求項１９】
前記送信機は、前記第１のダイバーシチチャネルを示すためのシグナリングを伝送するように構成され、前記シグナリングは、前記第１のダイバーシチチャネルとの間で予め定められた関係を有する少なくとも１つのインデックスを有する、請求項１７から１８のいずれか一項に記載のネットワーク機器。
【請求項２０】
前記第１のダイバーシチチャネルは、前記第１のＵＥの識別情報と関連付けられており、前記第１のＵＥの前記識別情報は、前記第１のダイバーシチチャネルとの間で予め定められた関係を有する、請求項１７から１９のいずれか一項に記載のネットワーク機器。
【請求項２１】
前記第１のダイバーシチチャネルは、関数ｆ１及びｆ２により規定される２レベルダイバーシチチャネルであり、
ｆ１（ｍ１、Ｎ１）であり、ｍ１は、前記ダイバーシチチャネルに対して割り当てられるパーティションの数であり、Ｎ１は、前記アクセス領域内のパーティションの総数であり、
ｆ２（ｍ２、Ｎ２）であり、ｍ２は、前記ＵＥに対して割り当てられるＲＥの数であり、Ｎ２は、各パーティションにおけるＲＥの総数である、請求項１７から２０のいずれか一項に記載のネットワーク機器。
【発明の詳細な説明】
【技術分野】
【０００１】
［関連出願の相互参照］
本願は、２０１６年１１月１１日に出願された「グラントフリーなアップリンク伝送のためのシステム及び方法」と題する米国仮出願第６２／４２０，９７９号の利益を主張し、２０１７年１０月１３日に出願された「グラントフリーなアップリンク伝送のためのシステム及び方法」と題する米国特許出願第１５／７８３５１５号の利益を主張し、これらの両方の内容がすべて再現されるように参照により本明細書に組み込まれる。
【０００２】
本開示は、大まかには無線通信、特に、グラントフリーなアップリンク伝送に関する。
【背景技術】
【０００３】
いくつかの無線通信システムにおいて、ユーザ機器（ＵＥ）は、基地局と無線通信を行って、基地局にデータを送信する、及び／又は、基地局からデータを受信する。ＵＥから基地局への無線通信はアップリンク通信と称され、基地局からＵＥへの無線通信はダウンリンク通信と称される。
【０００４】
アップリンク及びダウンリンク通信を実行するために、リソースが必要である。例えば、ＵＥは、特定の周波数で、及び／又は、特定のスロットの間中、アップリンク伝送において基地局にデータを無線で伝送し得る。用いられる周波数及びタイムスロットは、リソースの例である。
【０００５】
いくつかの無線通信システムにおいて、ＵＥが基地局にデータを伝送しようとする場合、ＵＥは、基地局からアップリンクリソースを要求する。基地局は、アップリンクリソースを許可（ｇｒａｎｔ）し、そして、ＵＥは、グラント（許可）されたアップリンクリソースを用いてアップリンク伝送を送信する。基地局により許可され得るアップリンクリソースの例は、アップリンク直交周波数分割多元接続（ＯＦＤＭＡ）フレーム内の時間／周波数位置のセットである。
【０００６】
基地局がＵＥに対してこれらのアップリンクリソースを具体的に許可したので、基地局は、グラント（許可）されたアップリンクリソースを用いて、アップリンク伝送を送信するそのＵＥの識別情報を認識する。しかしながら、どのＵＥが、もしあれば、あるアップリンクリソースを用いてアップリンク伝送を送信しようとしているかを基地局が知らないスキームがあってもよい。例は、リソースの使用を具体的に要求することなく、かつ、基地局によりリソースが具体的に許可されることなく、複数のＵＥにより共有されるあるアップリンクリソースを用いて、複数のＵＥがアップリンク伝送を送信し得るグラントフリーなアップリンク伝送スキームである。したがって、どのＵＥが、もしあれば、リソースを用いてグラントフリーなアップリンク伝送を送信しようとしているかを基地局は知らない。また、ＵＥ同士が協調しないと仮定すると、２又はそれより多いＵＥは、同じリソースを用いてそれぞれのグラントフリーなアップリンク伝送をそれぞれ送信し得るので、その結果、衝突を引き起こす。
【０００７】
グラントフリー（ＧＦ）伝送とは、これらのリソースを用いるために、アクセスの明示的な許可が必要とされない通信リソースを用いた通信システムでの伝送を指す。ＧＦ伝送は、非常に厳しいレイテンシを有するサービス、例えば、高信頼性低レイテンシ通信（ＵＲＬＬＣ）を可能にし得、低減されたスケジューリングオーバーヘッド及び省エネルギーの用途、例えば、大容量マシンタイプ通信（ｍＭＴＣ）を提供し得る有望な技術である。
【０００８】
ＧＦ伝送の１つの重要な特徴は、ＧＦ伝送に用いられるＧＦ通信リソースが、通信ネットワークによりスケジューリングされないことである。ＵＥは、ネットワークから一切の許可を受けることなくＧＦ通信リソース上で伝送できる。
【発明の概要】
【０００９】
アップリンクデータ伝送のための方法は、ＵＥにより、アップリンクグラントフリーデータ伝送のための少なくとも１つのダイバーシチチャネルを取得する段階と、ＵＥにより、ネットワーク機器からグラント情報を受信することなく、少なくとも１つのダイバーシチチャネルにおいてアップリンクの最初のデータ伝送及び後続の伝送を伝送する段階とを含む。少なくとも１つのダイバーシチチャネルは、ＵＥに割り当てられるアップリンクグラントフリー伝送リソースを含む。アップリンクグラントフリー伝送リソースは、アクセス領域のパーティションに対応する１又は複数の位置と、アクセス領域の各パーティション内のリソースエレメント（ＲＥ）に対応する１又は複数の位置とを含む。
【００１０】
アップリンクデータ伝送のための別の方法によれば、ネットワーク機器は、第１のＵＥにグラント情報を伝送することなく、第１のダイバーシチチャネルにおいて、第１のＵＥからアップリンクの最初のデータ伝送及び後続の伝送を受信する。第１のダイバーシチチャネルは、ＵＥに割り当てられるアップリンクグラントフリー伝送リソースを含み、アップリンクグラントフリー伝送リソースは、アクセス領域のパーティションに対応する１又は複数の位置と、アクセス領域の各パーティション内のＲＥに対応する１又は複数の位置とを含む。
【００１１】
本開示の態様に係るＵＥは、アップリンクグラントフリーデータ伝送のための少なくとも１つのダイバーシチチャネルを取得するためのリソースマネージャを含む。少なくとも１つのダイバーシチチャネルは、ＵＥに割り当てられるアップリンクグラントフリー伝送リソースを含み、アップリンクグラントフリー伝送リソースは、アクセス領域のパーティションに対応する１又は複数の位置と、アクセス領域の各パーティション内のＲＥに対応する１又は複数の位置とを含む。送信機は、リソースマネージャに動作可能に結合され、ネットワーク機器からグラント情報を受信することなく、少なくとも１つのダイバーシチチャネルにおいてアップリンクの最初のデータ伝送及び後続の伝送を伝送する。
【００１２】
ネットワーク機器は、送信機と、第１のＵＥにグラント情報を伝送することなく、第１のダイバーシチチャネルにおいて、第１のＵＥからアップリンクの最初のデータ伝送及び後続の伝送を受信する受信機とを含んでよい。第１のダイバーシチチャネルは、第１のＵＥに割り当てられるアップリンクグラントフリー伝送リソースを含み、アップリンクグラントフリー伝送リソースは、アクセス領域のパーティションに対応する１又は複数の位置と、アクセス領域の各パーティション内のＲＥに対応する１又は複数の位置とを含む。
【００１３】
非一時的なプロセッサ可読媒体は、１又は複数のプロセッサにより実行される場合、１又は複数のプロセッサにアップリンクデータ伝送のための方法を実行させる命令を格納してよい。方法は、ＵＥにより、アップリンクグラントフリーデータ伝送のための少なくとも１つのダイバーシチチャネルを取得する段階と、ＵＥにより、ネットワーク機器からグラント情報を受信することなく、少なくとも１つのダイバーシチチャネルにおいてアップリンクの最初のデータ伝送及び後続の伝送を伝送する段階とを含み得る。少なくとも１つのダイバーシチチャネルは、ＵＥに割り当てられるアップリンクグラントフリー伝送リソースを含む。アップリンクグラントフリー伝送リソースは、アクセス領域のパーティションに対応する１又は複数の位置と、アクセス領域の各パーティション内のＲＥに対応する１又は複数の位置とを含む。
【００１４】
方法は、さらに又は代わりに、第１のＵＥにグラント情報を伝送することなく、第１のダイバーシチチャネルにおいて、第１のＵＥからアップリンクの最初のデータ伝送及び後続の伝送を受信するネットワーク機器を含み得る。第１のダイバーシチチャネルは、ＵＥに割り当てられるアップリンクグラントフリー伝送リソースを含み、アップリンクグラントフリー伝送リソースは、アクセス領域のパーティションに対応する１又は複数の位置と、アクセス領域の各パーティション内のＲＥに対応する１又は複数の位置とを含む。
【００１５】
本開示はまた、アップリンクグラントフリーデータ伝送のための少なくとも１つのダイバーシチチャネルを取得するように構成されるプロセッサと、プロセッサに動作可能に結合され、ネットワーク機器からグラント情報を受信することなく、少なくとも１つのダイバーシチチャネルにおいて、アップリンクの最初のデータ伝送及び後続の伝送を伝送する送信機とを含むＵＥを提供する。上記のように、少なくとも１つのダイバーシチチャネルは、ＵＥに割り当てられるアップリンクグラントフリー伝送リソースを含み、アップリンクグラントフリー伝送リソースは、アクセス領域のパーティションに対応する１又は複数の位置と、アクセス領域の各パーティション内のＲＥに対応する１又は複数の位置とを含む。
【００１６】
本開示の別の態様によれば、方法は、通信システム内の１つのＵＥ又はＵＥのグループにグラントフリー伝送用の通信リソースのセットを割り当てる段階と、グラントフリー伝送用に割り当てられた通信リソースのセットにおけるダイバーシチチャネルのセットを、ＵＥのグループ内の１つのＵＥ又は複数のＵＥに割り当てる段階とを含む。
【００１７】
実施形態において、方法は、ＵＥがその割り当てられたダイバーシチチャネルのセットを識別する情報を各ＵＥに伝送する段階をさらに含む。
【００１８】
実施形態において、ＵＥがその割り当てられたダイバーシチチャネルのセットを識別する情報は、その割り当てられたダイバーシチチャネルのセットの明示的な識別情報、又は、その割り当てられたダイバーシチチャネルのセットの暗黙的な識別情報を含む。
【００１９】
ダイバーシチチャネルのセットを割り当てる段階は、複数のＵＥのそれぞれに、同じダイバーシチチャネルのうちの１又は複数を割り当てる段階を含み得る。
【００２０】
別の実施形態において、ダイバーシチチャネルのセットを割り当てる段階は、各ＵＥに、それぞれのＵＥに固有のダイバーシチチャネルを割り当てる段階を含む。
【００２１】
別の態様によれば、方法は、ユーザ機器（ＵＥ）において、通信システム内の通信リソースのセットから、ＵＥによるグラントフリー伝送用の通信リソースのサブセットを選択する段階と、通信リソースの選択されたサブセットを用いて、ＵＥからグラントフリー伝送によりデータを伝送する段階を含む。
【００２２】
実施形態において、選択する段階は、ＵＥの識別子に基づいて選択する段階を含む。
【００２３】
実施形態において、選択する段階は、通信システム内のネットワーク機器からＵＥにより受信された情報に基づいて選択する段階を含む。
【００２４】
実施形態において、グラントフリー伝送においてＵＥによる使用のために割り当てられる通信リソースのセットは、Ｎ個のリソースエレメント（ＲＥ）を含み、選択する段階は、ダイバーシチチャネルｆ（ｍ、Ｎ）を選択する段階を含み、ｆはマッピングであり、ｍは、ダイバーシチチャネルにおけるＲＥの数である。
【００２５】
実施形態において、グラントフリー伝送においてＵＥによる使用のために割り当てられる通信リソースのセットは、複数のパーティションに区分けされるアクセス領域に割り当てられるＲＥを含み、選択する段階は、関数ｆ１及びｆ２により規定される２レベルダイバーシチチャネルを選択する段階を含み、ｆ１（ｍ１、Ｎ１）であり、ｍ１は、ダイバーシチチャネルに対して割り当てられるパーティションの数であり、Ｎ１は、アクセス領域内のパーティションの総数であり、ｆ２（ｍ２、Ｎ２）であり、ｍ２は、ＵＥに対して割り当てられるＲＥの数であり、Ｎ２は、各パーティションにおけるＲＥの総数である。
【００２６】
実施形態において、グラントフリー伝送においてＵＥによる使用のために割り当てられる通信リソースのセットは、複数のパーティションに区分けされるアクセス領域に割り当てられるＲＥを含み、選択する段階は、パーティションのそれぞれに対してＬ個の異なるダイバーシチチャネルを規定する段階と、各パーティションから別のパーティションへのホッピングパターンを規定する段階を含む。
【００２７】
実施形態において、選択する段階は、ルックアップテーブルから通信リソースのサブセットを選択する段階を含む。
【００２８】
実施形態において、方法はまた、データのグラントフリー再伝送用の通信リソースのさらなるサブセットを選択する段階と、通信リソースの選択されたさらなるサブセットを用いて、ＵＥからグラントフリー伝送によりデータを再伝送する段階とを含む。
【００２９】
別の態様によれば、方法は、通信システム内の通信リソースのサブセットを用いて、ユーザ機器（ＵＥ）からグラントフリー伝送によりデータを伝送する段階と、データのグラントフリー再伝送用の通信リソースのさらなるサブセットを選択する段階と、通信リソースの選択されたさらなるサブセットを用いて、ＵＥからグラントフリー伝送によりデータを再伝送する段階とを含む。
【００３０】
実施形態において、通信リソースのさらなるサブセットを選択する段階、及び、データを再伝送する段階は、データが伝送された受信機からの否定応答の受信に応答する。
【００３１】
実施形態において、通信リソースのサブセット及びさらなるサブセットの両方は、伝送する段階の前に選択される。
【００３２】
実施形態において、そのような方法はまた、サブセットに関して、ただし、通信リソースのさらなるサブセットに関して上記で挙げられた他の機能を含む。
【００３３】
さらなる態様によれば、アップリンク伝送のための方法は、ネットワークエンティティにより、アクセス領域の第１のダイバーシチチャネルにおいて、第１のユーザ機器（ＵＥ）から第１のアップリンクグラントフリー伝送を受信する段階と、ネットワークエンティティにより、アクセス領域の第２のダイバーシチチャネルにおいて、第２のＵＥから第２のアップリンクグラントフリー伝送を受信する段階であって、第１のダイバーシチチャネル及び第２のダイバーシチチャネルは、少なくとも１つのリソースエレメント（ＲＥ）を有し、アクセス領域において部分的に重複する、段階を含む。
【００３４】
いくつかの実施形態において、方法は、受信する段階の前に、ネットワークエンティティにより、第１のＵＥ及び第２のＵＥを少なくとも有するＵＥのグループに対してアクセス領域を割り当てる段階をさらに含む。
【００３５】
いくつかの実施形態において、方法は、ネットワークエンティティにより、第１のＵＥに対して第１のダイバーシチチャネルを割り当てる段階と、ネットワークエンティティにより、第２のＵＥに対して第２のダイバーシチチャネルを割り当てる段階とをさらに含む。
【００３６】
いくつかの実施形態において、アクセス領域の複数のパーティションからパーティションを選択し、次に、選択されたパーティションから少なくとも１つのＲＥを選択することにより、第１のアップリンクグラントフリー伝送用に選択される少なくとも１つのＲＥを、第１のダイバーシチチャネルにおける１つのＲＥが有する。
【００３７】
いくつかの実施形態において、方法は、ネットワークエンティティにより、第１のＵＥに情報を伝送する段階をさらに含み、情報は、割り振られる第１のダイバーシチチャネルを第１のＵＥに示すために用いられる。
【００３８】
いくつかの実施形態において、情報は、第１のダイバーシチチャネルの明示的な識別情報又は第１のダイバーシチチャネルの暗黙的な識別情報を有する。
【００３９】
いくつかの実施形態において、アクセス領域は、ダイバーシチチャネルパーティションの少なくとも第１レベルを有し、ダイバーシチチャネルパーティションの第１レベルにおける１つのＲＥは、ダイバーシチチャネルパーティションの少なくとも１つの第２レベルを有する。
【００４０】
さらなる態様によれば、方法は、ユーザ機器（ＵＥ）により、アクセス領域の第１のダイバーシチチャネルを取得する段階であって、アクセス領域は、ＵＥのグループ用の複数のダイバーシチチャネルを含み、第１のダイバーシチチャネルは、少なくとも１つのリソースエレメント（ＲＥ）を有し、第２のダイバーシチチャネルと部分的に重複する、段階と、ＵＥにより、グラント情報を受信することなく、第１のダイバーシチチャネルにおいてアップリンクグラントフリー伝送を伝送する段階とを含む。
【００４１】
いくつかの実施形態において、取得する段階は、ＵＥの識別子に基づいて、第１のダイバーシチチャネルを取得する段階を有する。
【００４２】
いくつかの実施形態において、取得する段階は、ネットワーク機器からＵＥにより受信された情報に基づいて、第１のダイバーシチチャネルを取得する段階を有する。
【００４３】
いくつかの実施形態において、アクセス領域は、Ｎ個のリソースエレメント（ＲＥ）を有し、取得する段階は、第１のダイバーシチチャネルとして、ダイバーシチチャネルｆ（ｍ、Ｎ）を取得する段階であって、ｆはマッピングであり、ｍは、ダイバーシチチャネルにおけるＲＥの数である、段階を有する。
【００４４】
いくつかの実施形態において、アクセス領域は、複数のパーティションに区分けされており、取得する段階は、関数ｆ１及びｆ２により規定される２レベルダイバーシチチャネルを第１のダイバーシチチャネルとして取得する段階を有し、ｆ１（ｍ１、Ｎ１）であり、ｍ１は、ダイバーシチチャネルに対して割り当てられるパーティションの数であり、Ｎ１は、アクセス領域内のパーティションの総数であり、ｆ２（ｍ２、Ｎ２）であり、ｍ２は、ＵＥに対して割り当てられるＲＥの数であり、Ｎ２は、各パーティションにおけるＲＥの総数である。
【００４５】
いくつかの実施形態において、アクセス領域は、複数のパーティションに区分けされており、取得する段階は、パーティション及び各パーティションから別のパーティションへのホッピングパターンのそれぞれに関するＬ個の異なるダイバーシチチャネルとして、第１のダイバーシチチャネルを規定する段階を有する。
【００４６】
いくつかの実施形態において、取得する段階は、ルックアップテーブルから第１のダイバーシチチャネルを取得する段階を有する。
【００４７】
いくつかの実施形態において、方法は、さらなるダイバーシチチャネルを取得する段階と、ＵＥにより、グラント情報を受信することなく、さらなるダイバーシチチャネルにおいてアップリンクグラントフリー再伝送を伝送する段階とをさらに含む。
【００４８】
いくつかの実施形態において、アクセス領域は、ダイバーシチチャネルパーティションの少なくとも第１レベルを有し、ダイバーシチチャネルパーティションの第１レベルにおける１つのＲＥは、ダイバーシチチャネルパーティションの少なくとも１つの第２レベルを有する。
【００４９】
さらなる態様によれば、方法は、ユーザ機器（ＵＥ）により、グラント情報を受信することなく、アクセス領域の第１のダイバーシチチャネルにおいてアップリンクグラントフリー伝送を伝送する段階であって、アクセス領域は、ＵＥのグループ用の複数のダイバーシチチャネルを含み、第１のダイバーシチチャネルは、少なくとも１つのリソースエレメント（ＲＥ）を有し、第２のダイバーシチチャネルと部分的に重複する、段階と、さらなるダイバーシチチャネルを取得する段階と、ＵＥにより、グラント情報を受信することなく、さらなるダイバーシチチャネルにおいてアップリンクグラントフリー再伝送を伝送する段階とを含む。
【００５０】
いくつかの実施形態において、取得する段階及びアップリンクグラントフリー再伝送を伝送する段階は、グラントフリー伝送が伝送された受信機からの否定応答の受信に応答する。
【００５１】
いくつかの実施形態において、第１のダイバーシチチャネル及びさらなるダイバーシチチャネルの両方は、アップリンクグラントフリー伝送を伝送する段階の前に取得される。
【００５２】
いくつかの実施形態において、本明細書で開示される他の機能は、さらなるダイバーシチチャネルに関して適用する。
【００５３】
別の態様によれば、非一時的なプロセッサ可読媒体は、命令を格納し、１又は複数のプロセッサにより実行される場合、１又は複数のプロセッサに、本明細書で開示されるような方法を実行させる。
【００５４】
別の態様は、送信機と、送信機に動作可能に結合され、通信システム内の１つのＵＥ又はＵＥのグループにグラントフリー伝送用の通信リソースのセットを割り当て、グラントフリー伝送用に割り当てられた通信リソースのセットにおけるダイバーシチチャネルのセットを、ＵＥのグループ内の１つのＵＥ又は複数のＵＥに割り当てるリソースマネージャとを含む装置に関する。
【００５５】
いくつかの実施形態において、リソースマネージャは、本明細書で説明される他の機能を実装するように構成される。
【００５６】
別の態様によれば、装置は、アクセス領域の第１のダイバーシチチャネルにおける第１のユーザ機器（ＵＥ）からの第１のアップリンクグラントフリー伝送と、アクセス領域の第２のダイバーシチチャネルにおける第２のＵＥからの第２のアップリンクグラントフリー伝送とをネットワークエンティティで受信する受信機を含み、第１のダイバーシチチャネル及び第２のダイバーシチチャネルは、少なくとも１つのリソースエレメント（ＲＥ）を有し、アクセス領域において部分的に重複する。
【００５７】
いくつかの実施形態において、装置は、本明細書で開示される他の機能を実装するように構成される。
【００５８】
さらなる態様に係るＵＥは、通信システム内の通信リソースのセットから、ＵＥによるグラントフリー伝送用の通信リソースのサブセットを選択するリソースマネージャと、リソースマネージャに動作可能に結合され、通信リソースの選択されたサブセットを用いて、ＵＥからグラントフリー伝送によりデータを伝送する送信機とを含む。
【００５９】
さらなる態様によれば、ＵＥは、アクセス領域の第１のダイバーシチチャネルを取得するリソースマネージャであって、アクセス領域は、ＵＥのグループ用の複数のダイバーシチチャネルを含み、第１のダイバーシチチャネルは、少なくとも１つのリソースエレメント（ＲＥ）を有し、第２のダイバーシチチャネルと部分的に重複する、リソースマネージャと、リソースマネージャに動作可能に結合され、グラント情報を受信することなく、第１のダイバーシチチャネルにおいてアップリンクグラントフリー伝送を伝送する送信機とを含む。
【００６０】
いくつかの実施形態において、リソースマネージャ、ＵＥのリソースマネージャに結合される送信機及び受信機のうちの１又は複数は、本明細書で開示される他の機能を実装するように構成される。
【００６１】
本開示の実施形態の他の態様及び特徴は、以下の説明を検討することにより、当業者に明らかになる。
【図面の簡単な説明】
【００６２】
本発明の実施形態は、添付の図面を参照してより詳細に説明される。
【００６３】
【図１Ａ】通信システムを示すブロック図である。
【００６４】
【図１Ｂ】別の例の通信システムのネットワーク図である。
【００６５】
【図２】アクセス領域及びダイバーシチチャネルの例を示すブロック図である。
【００６６】
【図３】アクセス領域の別の例を示すブロック図である。
【００６７】
【図４】マルチレベルダイバーシチチャネルの例を示すブロック図である。
【００６８】
【図４Ａ】マルチレベルダイバーシチチャネルを取得する例示的な方法を示すフロー図である。
【００６９】
【図５】パーティション及びホッピングベースのダイバーシチチャネルの例を示すブロック図である。
【００７０】
【図６】例示的な方法を示すフロー図である。
【図７】例示的な方法を示すフロー図である。
【図７Ａ】例示的な方法を示すフロー図である。
【００７１】
【図８】例示的なネットワーク機器を示すブロック図である。
【００７２】
【図９】例示的なＵＥを示すブロック図である。
【００７３】
【図１０】本明細書で開示される実施形態を実装するために用いられ得る例示的なコンピューティングシステムを示すブロック図である。
【００７４】
【図１１】本開示に係る方法及び教示内容を実装し得るさらなる例示的なデバイスを示す。
【図１２】本開示に係る方法及び教示内容を実装し得るさらなる例示的なデバイスを示す。
【発明を実施するための形態】
【００７５】
これから、例示を目的として、特定の例示的な実施形態が図と共に以下でより詳細に説明される。
【００７６】
本明細書において説明される実施形態は、クレームされた主題を実施し、そのような主題を実施する方法を示すのに十分な情報を表す。添付の図を踏まえて以下の説明を解釈すると、当業者は、クレームされた主題の概念を理解し、これらの概念の適用が本明細書で具体的には対処されていないことを認識する。これらの概念及び適用が本開示及び添付の特許請求の範囲に含まれることを理解されたい。
【００７７】
さらに、本明細書で開示される、命令を実行する任意のモジュール、コンポーネント又はデバイスは、情報、例えば、コンピュータ／プロセッサ可読命令、データ構造、プログラムモジュール及び／又は他のデータの記憶のための非一時的なコンピュータ／プロセッサ可読記憶媒体又は複数の媒体を含んでよい、そうでない場合、これらへのアクセス有することが理解されるだろう。非一時的なコンピュータ／プロセッサ可読記憶媒体の例の非包括的な列挙は、磁気カセット、磁気テープ、磁気ディスクストレージ又は他の磁気記憶装置、光ディスク、例えば、コンパクトディスクリードオンリメモリ（ＣＤ‐ＲＯＭ）、デジタルビデオディスク又はデジタル多用途ディスク（すなわち、ＤＶＤ）、Ｂｌｕ‐ｒａｙ  Ｄｉｓｃ（登録商標）、又は、任意の方法又は技術において実現される他の光ストレージ、揮発性及び不揮発性、リムーバブル及び非リムーバブル媒体、ランダムアクセスメモリ（ＲＡＭ）、リードオンリメモリ（ＲＯＭ）、電気的に消去可能なブログラマブルリードオンリメモリ（ＥＥＰＲＯＭ）、フラッシュメモリ又は他のメモリ技術を含む。任意のそのような非一時的なコンピュータ／プロセッサ記憶媒体は、デバイスの一部であってよい、又は、それらにアクセス可能又は接続可能であってよい。本明細書で説明されるアプリケーション又はモジュールを実現するために、コンピュータ／プロセッサ可読／実行可能命令は、そのような非一時的なコンピュータ／プロセッサ可読記憶媒体により格納されてよい、そうでない場合、保持されてよい。
【００７８】
次に図を見て、いくつかの特定の例示的な実施形態が説明される。
【００７９】
図１Ａは、通信システムを示す略図である。通信システム１００は、コアネットワーク１０２及びアクセスネットワーク１０６を含む。
【００８０】
コアネットワーク１０２は、様々なサービス、例えば、呼制御／回線交換及び他のネットワークへのゲートウェイのいずれかを提供してよい。コアネットワーク１０２は、ネットワークコンポーネント、例えば、ルータ、スイッチ及びサーバを含む。
【００８１】
アクセスネットワーク１０６は、無線通信ネットワークであり、コアネットワーク１０２に接続又は結合される。ネットワークエレメント又はノード１０８ａ、１０８ｂ、１０８ｃ、１０８ｄ、１０８ｅは、それぞれの無線カバレッジエリア１１０ａ、１１０ｂ、１１０ｃ、１１０ｄ、１１０ｅ内で無線通信サービスを提供する。各ネットワークエレメント１０８ａ−ｅは、無線送受信機、１又は複数のアンテナ及び関連する処理回路、例えば、アンテナ無線周波数（ＲＦ）回路、アナログ−デジタル／デジタル−アナログ変換器などを用いて実現され得る。基地局は、ネットワークエレメント１０８ａ−ｅの例である。「基地局」という語句は、ＵＥからアップリンクにおいてデータを無線で受信する任意のデバイスを包含する。したがって、いくつかの実施例において、基地局１０８ａ−ｅは、他の名称、例えば、送信及び受信ポイント（ＴＲＰ）、ベーストランシーバ基地局、無線基地局、ネットワークノード、送信／受信ノード、ノードＢ、ｅＮｏｄｅＢ、リレー局又はリモート無線ヘッドと呼ばれ得る。また、いくつかの実施形態において、基地局１０８ａ−ｅの一部が分散されてよい。例えば、基地局１０８ａ−ｅのモジュールのいくつかは、基地局１０８ａ−ｅのアンテナを収容する機器から遠く離れて配置されてよく、通信リンク上のアンテナを収容する機器（不図示）に結合されてよい。
【００８２】
ＵＥ１０４ａ、１０４ｂ、１０４ｃ、１０４ｄは、アクセスネットワーク１０６を用いて通信システム１００に無線でアクセスする。ＵＥは、任意の適切なエンドユーザデバイスを表し、ユーザ機器／デバイス（ＵＥ）、無線送受信ユニット（ＷＴＲＵ）、移動局、固定又はモバイル式の加入者ユニット、携帯電話、パーソナルデジタルアシスタント（ＰＤＡ）、スマートフォン、ラップトップ、コンピュータ、タッチパッド、無線センサ又は家庭用電子デバイスとして（又は、と称され得る）そのようなデバイスを含んでよい。
【００８３】
各ＵＥ１０４ａ−ｄは、無線送受信機に統合され得る無線送信機及び無線受信機、１又は複数のアンテナ及び関連する処理回路、例えば、アンテナ無線周波数（ＲＦ）回路、アナログ−デジタル／デジタル−アナログ変換器などを含む。ネットワークエレメント１０８−ｅ及びＵＥ１０４ａ−ｄは、通信システム１００において互いの通信をサポートするように同様のタイプのコンポーネントを含んでよいが、他のコンポーネントを同様に含んでもよい。
【００８４】
ネットワークエレメント１０８ａ−ｅは、それぞれの通信リンク１１２ａ、１１２ｂ、１１２ｃ、１１２ｄ、１１２ｅを介して、アクセスネットワーク１０６内の集中型処理システム１２０に接続される。一実施形態において、各通信リンク１１２ａ−ｅは光ファイバ通信リンクである。各ネットワークエレメント１０８ａ−ｅは、集中型処理システム１２０にデータを伝送し、そのそれぞれの通信リンク１１２ａ−ｅを介して集中型処理システムからデータを受信するための回路を含む。図１において単一の集中型処理システムとして示されているが、集中型処理システム１２０は、１又は複数の処理及び制御サーバから成るネットワークにより実現されてよい。代替的に集中型処理システム１２０は、単一のサーバとして実現されてよい。
【００８５】
ネットワークエレメント１０８ａ−ｅは、アクセスネットワーク１０６の有線及び無線部分間のゲートウェイとしてサービス提供してよいが、これは、通信リンク１１２ａ−ｅが無線リンクである実施形態の場合には必要ない。ネットワークエレメント１０８ａ−ｅは、ネットワークプロバイダにより一定の場所に配置され、例えば、実質的に連続する無線カバレッジエリアを提供し得る。これは、ＵＥ１０４ａ−ｄが無線カバレッジエリアの至る所に移動しても、アクセスネットワーク１０６により依然としてサービス提供され得るように、無線カバレッジエリア１１０ａ−ｅが互いに重複する図１Ａにおいて示されている。
【００８６】
図１Ｂは、本開示の実施形態が実現され得る別の例の通信システム１０１のネットワーク図である。一般に、通信システム１０１は、複数の無線又は有線エレメントがデータ及び他のコンテンツを通信することを可能にする。通信システム１０１の目的は、ブロードキャスト、ナローキャスト、ユーザデバイスツーユーザデバイスなどを介して、コンテンツ（音声、データ、ビデオ、テキスト）を提供することであってよい。通信システム１０１は、リソース、例えば、帯域幅を共有することにより動作し得る。
【００８７】
この例では、通信システム１０１は、電子デバイス（ＥＤ）１１１ａ−１１１ｃ、無線アクセスネットワーク（ＲＡＮ）１２１ａ−１２１ｂ、コアネットワーク１３０、公衆交換電話網（ＰＳＴＮ）１４０、インターネット１５０及び他のネットワーク１６０を含む。一定の数のこれらのコンポーネント又はエレメントが図１Ｂに示されるが、任意の妥当な数のこれらのコンポーネント又はエレメントが通信システム１０１に含まれてよい。
【００８８】
ＥＤ１１１ａ−１１１ｃは、通信システム１０１において動作、通信又はその両方を行うように構成される。例えば、ＥＤ１１１ａ−１１１ｃは、無線又は有線通信チャネルを介して送信、受信又はその両方を行うように構成される。各ＥＤ１１１ａ−１１１ｃは、無線動作のための任意の適切なエンドユーザデバイスを表し、ユーザ機器／デバイス（ＵＥ）、無線送受信ユニット（ＷＴＲＵ）、移動局、固定又はモバイル式の加入者ユニット、携帯電話、局（ＳＴＡ）、マシンタイプ通信（ＭＴＣ）デバイス、パーソナルデジタルアシスタント（ＰＤＡ）、スマートフォン、ラップトップ、コンピュータ、タブレット、無線センサ又は家庭用電子デバイスとして（又は、と称され得る）そのようなデバイスを含んでよい。
【００８９】
図１Ｂにおいて、ＲＡＮ１２１ａ−１２１ｂは、基地局１７０ａ−１７０ｂをそれぞれ含む。各基地局１７０ａ−１７０ｂは、ＥＤ１１１ａ−１１１ｃのうちの１又は複数と無線インタフェースで接続され、任意の他の基地局１７０ａ−１７０ｂ、コアネットワーク１３０、ＰＳＴＮ１４０、インターネット１５０及び／又は他のネットワーク１６０にアクセスすることを可能にするように構成される。例えば、基地局１７０ａ−１７０ｂは、いくつかの周知のデバイス、例えば、ベーストランシーバ基地局（ＢＴＳ）、ノードＢ（ＮｏｄｅＢ）、進化型ノードＢ（ｅＮｏｄｅＢ）、ホームｅＮｏｄｅＢ、ｇＮｏｄｅＢ、送信ポイント（ＴＰ）、サイトコントローラ、アクセスポイント（ＡＰ）又は無線ルータのうちの１又は複数を含んでよい（又はそれらのうちの１又は複数であってよい）。任意のＥＤ１１０ａ−１１０ｃは、代替的に又はさらに、任意の他の基地局１７０ａ−１７０ｂ、インターネット１５０、コアネットワーク１３０、ＰＳＴＮ１４０、他のネットワーク１６０又は上述の組み合わせとインタフェース接続する、アクセスする又は通信するように構成されてよい。通信システム１０１は、ＲＡＮ、例えば、ＲＡＮ１２１ｂを含んでよく、対応する基地局１７０ｂは、示されるようにインターネット１５０を介してコアネットワーク１３０にアクセスする。
【００９０】
ＥＤ１１１ａ−１１１ｃ及び基地局１７０ａ−１７０ｂは、本明細書で説明される機能及び／又は実施形態のいくつか又はすべてを実装するように構成され得る通信機器の例である。図１Ｂに示される実施形態において、基地局１７０ａは、ＲＡＮ１２１ａの一部を形成し、他の基地局、基地局コントローラ（ＢＳＣ）、無線ネットワークコントローラ（ＲＮＣ）、リレーノード、エレメント及び／又はデバイスを含んでよい。任意の基地局１７０ａ、１７０ｂは、示されるように、単一のエレメントであってよい、又は、そうでない場合、対応するＲＡＮ内に分散される複数のエレメントであってよい。また、基地局１７０ｂは、ＲＡＮ１２１ｂの一部を形成し、他の基地局、エレメント及び／又はデバイスを含んでよい。各基地局１７０ａ−１７０ｂは、場合により、「セル」又は「カバレッジエリア」と称される、特定の地理的な地域又はエリア内で無線信号を送信及び／又は受信する。セルは、セルセクタにさらに分割されてよく、基地局１７０ａ−１７０ｂは、例えば、複数の送受信機を利用して、複数のセクタにサービスを提供してよい。いくつかの実施形態において、無線アクセス技術がサポートをするピコ又はフェムトセルが確立されてよい。いくつかの実施形態において、複数の送受信機は、例えば、多入力多出力（ＭＩＭＯ）技術を用いて、各セルに用いられ得る。示されるＲＡＮ１２１ａ−１２１ｂの数は、単なる例である。通信システム１０１を考案するにあたっては、任意の数のＲＡＮが想定され得る。
【００９１】
基地局１７０ａ−１７０ｂは、無線通信リンク、例えば、無線周波数（ＲＦ）、マイクロ波、赤外線（ＩＲ）などを用いる１又は複数のエアインタフェース１９０を介して、ＥＤ１１１ａ−１１１ｃのうちの１又は複数と通信する。エアインタフェース１９０は、任意の適切な無線アクセス技術を利用してよい。例えば、通信システム１０１は、エアインタフェース１９０に１又は複数のチャネルアクセス方法、例えば、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）又はシングルキャリアＦＤＭＡ（ＳＣ‐ＦＤＭＡ）を実装してよい。
【００９２】
基地局１７０ａ−１７０ｂは、広帯域ＣＤＭＡ（ＷＣＤＭＡ（登録商標））を用いてエアインタフェース１９０を確立するために、ユニバーサル移動体通信システム（ＵＭＴＳ）地上無線アクセス（ＵＴＲＡ）を実装してよい。その際、基地局１７０ａ−１７０ｂは、プロトコル、例えば、ＨＳＤＰＡ、ＨＳＵＰＡ又は両方を任意に含むＨＳＰＡ、ＨＳＰＡ＋を実装してよい。代替的に、基地局１７０ａ−１７０ｂは、ＬＴＥ、ＬＴＥ‐Ａ及び／又はＬＴＥ‐Ｂを用いて、進化型ＵＴＭＳ地上無線アクセス（Ｅ‐ＵＴＲＡ）とのエアインタフェース１９０を確立してよい。通信システム１０１が、上述のように、そのようなスキームを含む複数のチャネルアクセス機能を用い得ることが想定される。エアインタフェースを実装するための他の無線技術は、ＩＥＥＥ８０２．１１、８０２．１５、８０２．１６、ＣＤＭＡ２０００、ＣＤＭＡ２０００  １Ｘ、ＣＤＭＡ２０００  ＥＶ‐ＤＯ、ＩＳ‐２０００、ＩＳ‐９５、ＩＳ‐８５６、ＧＳＭ（登録商標）、ＥＤＧＥ及びＧＥＲＡＮを含む。もちろん、他の多元接続方式及び無線プロトコルが利用されてよい。
【００９３】
ＲＡＮ１２１ａ−１２１ｂは、コアネットワーク１３０と通信して、様々なサービス、例えば、音声、データ及び他のサービスをＥＤ１１１ａ−１１１ｃに提供する。ＲＡＮ１２１ａ−１２１ｂ及び／又はコアネットワーク１３０は、１又は複数の他のＲＡＮ（不図示）と直接的又は間接的に通信してよく、コアネットワーク１３０により直接サービス提供されてもされなくてもよく、ＲＡＮ１２１ａ、ＲＡＮ１２１ｂ又は両方と同じ無線アクセス技術を利用してもしなくてもよい。コアネットワーク１３０は、（ｉ）ＲＡＮ１２１ａ−１２１ｂ又はＥＤ１１１ａ−１１１ｃ又は両方と、（ｉｉ）他のネットワーク（例えば、ＰＳＴＮ１４０、インターネット１５０及び他のネットワーク１６０）との間のゲートウェイアクセスとしてサービス提供してもよい。さらに、ＥＤ１１１ａ−１１１ｃのいくつか又はすべては、種々の無線技術及び／又はプロトコルを用いて、種々の無線リンク上で種々の無線ネットワークと通信するための機能を含んでよい。無線通信の代わりに（又は、これに加えて）、ＥＤは、有線通信チャネルを介してサービスプロバイダ又はスイッチ（不図示）及びインターネット１５０に通信してよい。ＰＳＴＮ１４０は、基本電話サービス（ＰＯＴＳ）を提供するための回線交換電話網を含んでよい。インターネット１５０は、コンピュータのネットワーク、及び、サブネット（イントラネット）又は両方を含み、プロトコル、例えば、ＩＰ、ＴＣＰ、ＵＤＰを組み込んでよい。ＥＤ１１１ａ−１１１ｃは、複数の無線アクセス技術に従う動作が可能なマルチモードデバイスであってよく、そのようなものをサポートするために必要な複数の送受信機を組み込んでよい。
【００９４】
いくつかのタイプの通信システムにおいて、伝送はグラントベースである。例えば、図１の通信システム１００において、通信リソースは、ネットワークエレメント１０８ａ−ｅ及び／又は集中型処理システム１２０によりスケジューリングされ得、ＵＥ１０４ａ−ｄは、ネットワークエレメントから、これらのリソースを用いるためのアクセスの明示的な許可を受信した後のみ、通信リソースを用いて通信トラフィックを伝送する。ＧＦ伝送は、グラントベースの伝送の代替手段であり、上述のように、通信リソースを用いるためのアクセスの明示的な許可を必要としない。通信システム、例えば１００、１０１は、ＧＦアップリンク伝送をサポートし、その結果、例えば、ＵＥは、これらのリソースを用いるための許可をまず要求又は受信することなく、ＧＦ通信リソース上にデータを伝送し得る。
【００９５】
グラントフリーなアップリンク伝送は、場合により、「グラントレス（ｇｒａｎｔ‐ｌｅｓｓ）」、「スケジュールフリー（ｓｃｈｅｄｕｌｅ  ｆｒｅｅ）」又は「スケジュールレス（ｓｃｈｅｄｕｌｅ‐ｌｅｓｓ）」伝送と呼ばれる。グラントフリーなアップリンク伝送が、コンテンションベース伝送である場合、異なるＵＥからのグラントフリーなアップリンク伝送は、同じ指定リソースを用いて伝送されてよく、ＵＥからの伝送は、例えば、ｅＮＢからの動的かつ明示的なスケジューリング許可を必要としない。グラントフリーなアップリンク伝送は、ＵＥから基地局への短いパケットを有するバースト性のトラフィックを伝送するような目的、及び／又は、リアルタイムに又は低レイテンシで基地局へデータを伝送するのに適している可能性がある。グラントフリーなアップリンク伝送スキームが利用され得る用途の例は、大容量マシンタイプ通信（ｍ−ＭＴＣ）、高信頼性低レイテンシ通信（ＵＲＬＬＣ）、スマート電気メータ、スマートグリッド内のテレプロテクション及び全自動運転を含む。しかしながら、グラントフリーなアップリンク伝送スキームは、これらの用途に限定されるものではない。
【００９６】
本開示の態様は、ＧＦ伝送及び通信リソースの管理に関し、ＧＦ伝送用の通信リソースの割り振り、及び、それらのＧＦ伝送のためにＵＥにより通信リソースを選択、そうでない場合、取得することを含む。ＧＦ伝送は、次世代の電気通信技術の標準化のために進行中のトピックである。ＧＦ用のリソース構成及び割り当てに関する多くの提案がある。一般に、各ユーザによる使用のためにＧＦリソースを取得することは、ＧＦ伝送の性能全体に影響を与える可能性がある。したがって、ＧＦ伝送を用いるユーザにサービスの品質をどうにかして提供するために、ＧＦリソースに対する効率的なリソース管理を実現することが所望され得る。
【００９７】
ＵＥのＧＦ伝送に対する通信リソースの割り振り又は割り当てに関して、通信ネットワーク内のコンポーネント、例えば、図１Ａに示されるようなネットワークエレメント及び／又は集中型処理システム又は図１Ｂに示されるような基地局は、グラントフリー伝送におけるＵＥによる使用のために、通信リソースのセットを割り当てる。この通信リソースのセットは、アクセス領域とも本明細書では称される。アクセス領域は、例えば、ＵＥ又はＵＥのグループに割り当てられ得る。
【００９８】
各ＵＥが、各ＵＥによりグラントフリー伝送用の通信リソースのそれぞれのサブセットを選択することを可能とするために、割り当てられたＧＦ通信リソースのセットを識別する情報がＵＥに伝送され、それは、ダイバーシチチャネルとも本明細書では称される。様々なアプローチのいずれかが、ＧＦリソースを選択するために用いられ得、いくつかの例が本明細書に開示される。ＵＥによりＧＦリソースを選択又は取得することは、データ又はトラフィックの最初のＧＦ伝送及び／又はそのようなデータ又はトラフィックの後続の伝送用のＧＦリソースを選択又は取得することを含み得る。後続の伝送は、データ又はトラフィックの反復のいずれか一方又は両方を含む可能性があり、肯定応答及び否定応答なし（ＡＣＫ／ＮＡＣＫなし）であり、ＮＡＣＫに基づいた再伝送が行われることはない。
【００９９】
アップリンク（ＵＬ）におけるＧＦ伝送は、ネットワークからのグラントを要求することなく、ＵＥが、予め構成されたアクセス領域において伝送することができる。図２は、アクセス領域及びダイバーシチチャネルの例を示すブロック図である。例示的なアクセス領域２００は、通信リソース２０２のセットを含み、リソースエレメント（ＲＥ）とも本明細書では称される。ＲＥ２０２は、ＧＦ伝送に用いられることができる最も小さい周波数／時間リソースを表す。ＧＦ伝送及び受信を容易にするために、ＲＥ２０２は、アクセス領域２００において伝送され得るＵＥ間で構成され、割り当てられる。実施形態において、通信リソース、例えば、ＲＥ２０２は、所望のサービスの品質をＵＥに提供しつつ、同時に伝送する可能性があるこれらのＵＥ間の衝突の確率を低減するように管理される。
【０１００】
そのようなリソース管理基準は、各ＵＥによる使用のためのＲＥ２０２の選択だけでなく、さらに又は代わりに、通信システムにおいて利用可能なＲＥからのアクセス領域２００用のＲＥ２０２の選択も考慮され得る。例えば、他の通信システム機能、例えば、グラントベースの通信に割り振られる他のＲＥがあってよく、他のＲＥは、通信システムにおいて利用可能であるが、ＧＦ伝送用のアクセス領域、例えば２００に割り振られていない。通信システムにおいて複数のアクセス領域があってよく、これらのアクセス領域は、部分的に重複してよく、共通するいくつかＲＥを含むことにも留意されたい。
【０１０１】
アクセス領域２００に対するＲＥ２０２の割り当て又は割り振りは、静的、半静的又は動的であり得る。例えば、ＧＦ伝送に対するＲＥ割り振りは、ＵＥにより伝送されているＧＦトラフィックの量に基づいて変更し得る。ネットワークエレメント及び／又は他のネットワーク機器は、ＧＦトラフィックをモニタリングして、ＧＦ伝送用のアクセス領域のＲＥを用いるＵＥにより伝送されているＧＦトラフィックの量に依存して、より多くの又はより少ないＲＥ２０２をアクセス領域２００に割り振られ得る。ＧＦアプリケーションのトラフィック負荷（例えば、ＧＦ伝送を用いるＵＥの数又は各ＧＦ  ＵＥの入力されたパケットの到着レート）が増大又は減少した場合、ネットワークは、ＧＦ用のアクセス領域２００のサイズ（ＲＥ２０２の数）を増大又は減少させ得る。１又は複数のＧＦトラフィックの閾値が、ＧＦ伝送用のＲＥ割り振りに対する変更をトリガするように構成され得る。
【０１０２】
さらに又は代わりに、ＧＦ伝送に対するＲＥ割り振りは、通信ネットワークにおいて現在伝送されているトラフィックの他のタイプに基づき得る。他のネットワークトラフィックのトラフィックレベルは、アクセス領域、例えば２００へのＲＥ２０２の最初の割り当て、及び／又は、半静的又は動的なＲＥ割り当てが考慮され得る。他のネットワークトラフィックのトラフィックレベルが高いよりビジーな時に、例えば、ＧＦ伝送用に割り振られるＲＥ２０２の数が減らされ得る。グラントベース方式で伝送する他のＵＥに対する入力トラフィックが増大した場合、例えば、ネットワークは、ＧＦアクセス領域２００のサイズ（ＲＥ２０２の数）を減らし得る。このシナリオにおける別の可能なオプションは、さらに又は代わりに、ＧＦアクセス領域２００内のＲＥのうちの少なくともいくつかがグラントベースの伝送にも利用可能である場合、ＧＦ及びグラントベースの伝送用のＲＥ間における部分的又は完全な重複を許可することである。
【０１０３】
他の特性又はパラメータが、さらに又は代わりに、ＧＦ伝送用のアクセス領域へのＲＥ割り当てに影響を及ぼし得る。
【０１０４】
ＵＥは、アクセス領域２００に割り当てられるＲＥ２０２のサブセットを選択して、データを送信する。ＲＥ２０２のサブセットの例は、２つのＵＥ、ＵＥ１及びＵＥ２について、２０４、２０６で示される。選択されたＲＥは、図２におけるダイバーシチチャネルとして分類される。ダイバーシチチャネルは、ＧＦ伝送に利用可能なＲＥ２０２のサブセットである。図２におけるリソース割り当ての粒度は、ＲＥレベルであり、ＵＥにより選択されるＲＥが離散的であり、必ずしも連続的ではないことを意味する。実施形態において、ダイバーシチチャネルは、１の値がダイバーシチチャネルの一部であるＲＥを示し、０の値がダイバーシチチャネルの一部ではないＲＥを示すバイナリベクトルである。ダイバーシチチャネルは、どのようにＲＥサブセットが特定され得るかについての例である。
【０１０５】
ＲＥサブセットはいくつかの実施形態においてＵＥに固有のものである。ＵＥに固有のサブセットの割り当ては、割り当てられたリソースが１つのＵＥに用いられるだけなので、コンテンションフリー又はコリジョンフリーのＧＦ伝送を提供し得る。他の実施形態において、ＲＥサブセットは、図２に示されるように、部分的に重複し得る。これは、ＵＥ１及びＵＥ２による伝送間でソフトな衝突をもたらす可能性があるが、そのような衝突は、例えば、低複雑性のマルチユーザ検出を適用することにより、受信機により解決され得る。ＵＥに固有及びＵＥに固有でないリソース割り当ても可能である。いくつかの実施形態において、ＵＥに固有でないリソース割り当ては、ネットワークに固有のものとすることができ、リソースがネットワークにより割り当てられることを意味する。例えば、ある伝送用、例えば、最初のＧＦ伝送用及び／又は第１の後続のＧＦ伝送用のリソース割り当てはＵＥに固有のものであり得、他の伝送用のリソース割り当ては、ＵＥに固有でない／ネットワークに固有のものであり得る。
【０１０６】
実施形態において、ＵＥによるＧＦ通信リソース選択は、ＵＥ識別子（ＵＥｉｄ）に基づいている。例えば、各ＵＥは、ネットワークにおいて識別子が割り当てられており、その識別子は、ネットワークの少なくとも一定レベルに対するＵＥに一意である。例として、ＵＥ識別子は、ネットワークのセル又はサービスエリア内で一意であり得る。アクセス領域は、各ＵＥが一意に識別されるそのようなサービスエリアに割り当てられ得、そして、そのＵＥｉｄに基づいた各ＵＥによるＧＦリソース選択は、ＵＥに固有であり、他のＵＥによるＧＦリソース選択とは異なる。例えば、ＵＥ識別子は、ダイバーシチチャネルの選択のためのインデックスとして直接用いられ得る、又は、そのようなインデックス又は他の選択基準を判定する際に用いられ得る。他の情報、例えば、セル又はサービスエリア識別子は、ＧＦリソースを選択する際にＵＥ識別子と組み合わせて用いられ得る。ＵＥ識別子及び／又は他の情報に基づいたＧＦリソース選択の例が以下で説明される。
【０１０７】
ＧＦリソース／ダイバーシチチャネルの選択は、通信システム内のネットワークエレメント又は他のネットワーク機器により代わりに構成され得る。例えば、ネットワーク機器は、情報を各ＵＥに送信し得、当該情報から、ＵＥは、ＧＦ伝送用にＵＥにより選択されるＧＦリソースを識別する。この情報は、ＧＦリソースの明示的な識別情報、例えば、ダイバーシチチャネルインデックス、又は、ＧＦリソースの暗黙的な識別情報を含み得る。ダイバーシチチャネルインデックス又はダイバーシチチャネルの他の識別子を生成するための乱数生成に関するシードは、実施形態におけるＧＦ伝送に用いられるＧＦリソースをＵＥが判定する暗黙的なインジケーションの一例である。別の例は、ダイバーシチチャネル全体が、ＵＥにより取得され得るホッピングパターン及び／又はインターリーブパターンに関するシードであり得る。ネットワークによる各ＵＥへのダイバーシチチャネルの割り当ては、静的、半静的又は動的であり得る。
【０１０８】
ＵＥによるＧＦリソース／ダイバーシチチャネルの選択又はＵＥに対する割り振りに関するこれらの技術の組み合わせも可能である。
【０１０９】
割り当てられ又は選択されるＧＦリソースは、ＵＥに固有であり得るが、すべて実施形態において必ずしもＵＥに固有である必要がないことに留意されたい。例えば、ダイバーシチチャネルの選択又は割り当ては、代わりにＵＥのグループに基づき得る。ダイバーシチチャネルは、ＵＥのグループに割り当てられ得、そして、同じグループ内のすべてのＵＥが同じダイバーシチチャネルを有する。そのようなグループ割り当て又は選択は、「グループ」ＵＥｉｄ、又は、グループのメンバが識別可能な他の情報に基づき得る。いくつかの実施形態において、グループ内の各ＵＥは、グループに割り当てられるダイバーシチチャネルのサブセットを用いており、そのサブセットは、第２のダイバーシチチャネルと称され得る。第２のダイバーシチチャネルは、ＵＥに固有であり得、例えば、グループＵＥｉｄ及び個々のＵＥｉｄに基づいて取得され得、静的、半静的又は動的方式でネットワークにより割り当てられ得る。ダイバーシチチャネルの割り当て又は選択の方法は、どのようにダイバーシチチャネルが設計されるかに必ずしも影響を及ぼすわけではないので、グループ割り当てされたダイバーシチチャネルの他の機能は、ＵＥに固有の場合と同じであり得る。
【０１１０】
上述のように、ＧＦ伝送に対する通信リソース割り当て／割り振り及びＵＥ  ＧＦリソース／ダイバーシチチャネルの選択のうちのいずれか一方又は両方が、ネットワーク機器からＵＥに情報を伝送することを含み得る。
【０１１１】
図３は、アクセス領域の別の例を示すブロック図である。図３において、グリッド３００内の各ブロックはＲＥを表す。網掛け付きのブロックは、ダイバーシチチャネルに割り当てられているグラントフリーなアクセス領域内のＲＥを表し、空白のブロックは、ダイバーシチチャネルに割り当てられていないＲＥを表す。図３及び他の図面において、空白のブロックにより表されるＲＥは、アクセス領域に割り当てられるＲＥを含み得る。
【０１１２】
実施形態において、ダイバーシチチャネルは、ＧＦ伝送のためにＵＥに割り当てられるＲＥの数（ｍ）及びＧＦ伝送用の総アクセス領域帯域幅の関数である。総アクセス領域帯域幅は、ＧＦ伝送用に割り当てられたＲＥ（図３における網掛け付きのブロック）の総数に対応し、Ｎにより示される：
ダイバーシチチャネル＝ｆ（ｍ、Ｎ）。
【０１１３】
そのようなダイバーシチチャネルの総数は、
【数１】
2019537851.tif 000003
であり、関数ｆは、出力としてこれらダイバーシチチャネルのうちの１又は少数を与える。ダイバーシチチャネルにおけるＲＥの数（図３の網掛け付きのブロックの数）ｍは、例えば、ＧＦ伝送により伝送される信号のスペクトル効率及び／又はパケットサイズの関数であり得る。実施形態において、ｍは、パケットサイズが大きいほど大きくなる。他の実施形態において、ｍは、アプリケーションタイプ及び／又は１又は複数の必要な又は目標重要業績評価指標（ＫＰＩ）の関数であり得る。ＫＰＩの一例は、ピーク対平均電力比（ＰＡＰＲ）であり得る。
【０１１４】
いくつかの実施形態において、ｍ／Ｎとして表され得るスパース比（ｓｐａｒｓｉｔｙ  ｒａｔｉｏｓ）は、目標の又は最適な性能を実現するために、パケットサイズ及び前方誤り訂正（ＦＥＣ）レートの動作点から取得され得る。変調サイズ（Ｍ）が一定であると仮定すると、パケットサイズはＬビットであり、最適なＦＥＣレートはｒであり、スパース比は、スパース比＝Ｌ／（ｒ×ｌｏｇ２（Ｍ）×Ｎから取得され得る。いくつかの実施形態において、スパース比は、ネットワーク機器からＵＥへシグナリングされ得る。いくつかの他の実施形態において、スパース比は、ＵＥからネットワーク機器へシグナリングされる。いくつかの他の実施形態において、スパース比は、暗黙的であり、情報、例えば、アプリケーションタイプ、パケットサイズ、再構成された／予め定められたＦＥＣレート及び／又は変調次数に関連付けられることができ、スパース比の明示的なシグナリングは不要である。いくつかの実施形態において、スパース比の粒度は、Ｎを変更することにより調整され得る。例えば、Ｎ＝４の場合、１／４、１／２、３／４及び１のスパース比が可能であり、一方、Ｎ＝８の場合、１／８、１／４、３／８、１／２、５／８、３／４、７／８及び１を含むスパース比といった多くのオプションが可能である。
【０１１５】
上記のダイバーシチチャネルの例において、例えば、ｆはマッピング関数であり、ＵＥ又はグループ識別子に基づき得る。別の実施形態において、ｆは、さらに又は代わりに、基準信号（ＲＳ）シーケンスに関連付けられ、チャネル推定及び／又はＵＥの識別情報又はＵＥに固有であり得る又はそうではない他の情報に用いられ得る。いくつかの実施形態において、各ＵＥは、それぞれのＵＥに固有のインタリーバ、スクランブラ又は乱数発生器、ＵＥに固有のハッシュ関数及び／又はＵＥに固有のホッピングパターンを含み得る。これらのうちのいずれか又はすべては、ＵＥに固有のマッピング関数ｆ、及び／又は、ｍなどの他のＧＦダイバーシチチャネルパラメータを規定する際に用いられ得る。他の実施形態において、マッピング関数及びＧＦダイバーシチチャネルはＵＥに固有ではない。他の実施形態において、ｆは、入力としてベクトル［１  １  １  ．．１  ０  ０  ０  ０．．０］を取る置換行列として表されるインターリーブ関数であり、ベクトルは、ｍ個の１の後ろに続く、又は、Ｎ−ｍ個のゼロによるゼロパディングを含む。別の実施形態において、ｆは、入力としてベクトル［１  １  １  ．．１  ０  ０  ０  ０．．０］を取る置換行列として表されるスクランブル関数であり、ベクトルは、上記の例と同様に、ｍ個の１の後ろに続く、又は、Ｎ−ｍ個のゼロによるゼロパディングを含む。
【０１１６】
ダイバーシチチャネルパラメータ、例えば、マッピング関数ｆ及び／又はｍは、さらに又は代わりに、新たな無線（ＮＲ）セル識別子又は他のサービスエリア識別子に基づき得る、そうでない場合、これらに関連付けられ得る。
【０１１７】
他の情報、例えば、ＰＡＰＲは、ダイバーシチチャネルパラメータを判定する際に考慮され得る。例えば、いくつかのダイバーシチチャネルは、その他よりも低いＰＡＰＲを結果としてもたらすことが知られている可能性があり、したがって、低ＰＡＰＲの信号伝送がＵＥにとって望ましい場合、そのダイバーシチチャネルは、これらのダイバーシチチャネルから選択されるかもしれない。
【０１１８】
図４は、マルチレベルダイバーシチチャネル設計の例を示すブロック図である。２つのレベルが図４に示され、２つの段階におけるダイバーシチチャネルの選択又は割り当てに対応しているが、追加のレベルが他の実施形態において用いられ得る。４００に示されるように、アクセス領域は、複数のパーティション又はサブ領域４０２に区分けされる。空白のサブ領域は、いずれも割り当てられたＲＥを含んでおらず、共有されるサブ領域は、割り当てられたＲＥを含む。割り当てられたＲＥを有するサブ領域のうちの１つが４０４に示され、網掛け付きのブロックとして示される割り当てられたＲＥ４０６を有する。４０４における空白のブロックは、例示的な第２レベルのダイバーシチチャネルに割り当てられていないＲＥを表す。
【０１１９】
例示的な２レベルダイバーシチチャネルのうちの第１レベルは、アクセス領域４０４のパーティション４０２上に規定される。例示的なダイバーシチチャネルの第２レベルは、各パーティション４０２内のＲＥ４０６上に規定される。マルチレベルダイバーシチチャネルの各レベルは、本明細書で説明される機能及び／又は他の特性に基づいて設計され得る。
【０１２０】
例えば、２レベルダイバーシチチャネルの場合、２つの関数ｆ１及びｆ２があり得、
ｆ１（ｍ１、Ｎ１）であり、ｍ１は、ダイバーシチチャネルに対して割り当てられるパーティションの数であり、Ｎ１は、アクセス領域内のパーティションの総数であり、
ｆ２（ｍ２、Ｎ２）であり、ｍ２は、ＵＥに対して割り当てられるＲＥの数であり、Ｎ２は、各パーティションにおけるＲＥの総数である。いくつかの実施形態において、ｍ１、Ｎ１、ｍ２、Ｎ２、ｍ及びＮの間の関係は、以下のように表すことができる。
Ｎ＝Ｎ１×Ｎ２及びｍ＝ｍ１×ｍ２。
【０１２１】
この例では、関数ｆ１は、アクセス領域全体からのグラントフリー伝送用に、ＵＥによる使用のために割り当て又は割り振られるアクティブなパーティションの場所／位置を提供し得、関数ｆ２は、グラントフリー伝送用に、ＵＥに割り当てられるアクティブなパーティション内から、割り当て又は割り振られたリソースエレメントの場所／位置を提供し得る。実施形態において、各関数の入力は、すべての利用可能なリソースユニット（ＲＵ）であり、上記の例におけるｆ２用のＲＥ又はｆ１用のパーティション及び利用されるＲＵの数ｍ１又はｍ２のうちのいずれか一方であり、各関数の出力は、利用されるＲＵの場所／位置を提供する。各関数ｆ１、ｆ２の出力は、例えば、複数の１の値を有し、他のすべての値がゼロを有する利用されるＲＵの場所／位置を示すバイナリベクトルであり得る。
【０１２２】
２段階のダイバーシチチャネルの生成についてのいくつかの実施形態において、スパース比は、ｍ／Ｎ＝ｍ１／Ｎ１×ｍ２／Ｎ２として表されることができ、これは、ダイバーシチチャネルの生成の２つのレベルのスパース比の積に等しい。スパース比は、目標の又は最適な性能を実現するために、例えば、パケットサイズ及び前方誤り訂正（ＦＥＣ）レートの動作点から取得され得る。変調サイズ（Ｍ）が一定であると仮定すると、パケットサイズはＬビットであり、最適なＦＥＣレートはｒであり、スパース比は、スパース比＝Ｌ／（ｒ×ｌｏｇ２（Ｍ）×Ｎから取得され得る。いくつかの実施形態において、スパース比は、ネットワーク機器からＵＥへシグナリングされ得る。いくつかの他の実施形態において、スパース比は、ＵＥからネットワーク機器へシグナリングされる。いくつかの他の実施形態において、スパース比は、暗黙的であり、情報、例えば、アプリケーションタイプ、パケットサイズ、再構成された／予め定められたＦＥＣレート及び／又は変調次数に関連付けられることができ、スパース比の明示的なシグナリングは不要である。一旦、スパース因子（ｓｐａｒｓｉｔｙ  ｆａｃｔｏｒ）が決定されると、スパース因子がダイバーシチチャネルの各レベルのスパース比にマッピングされ得る。例えば、第１のスパース比（ｍ１／Ｎ１）は、ｓとして一定に規定され得、そして、第２レベルのスパース比は、第２レベルのスパース比＝Ｌ／（ｒ×ｌｏｇ２（Ｍ）×Ｎ×ｓ）から取得され得る。いくつかの他の実施形態において、２つのレベルのスパース比が等しいと仮定することができるので、それらは、第１／第２レベルのスパース比＝ｓｑｒｔ（Ｌ／（ｒ×ｌｏｇ２（Ｍ）×Ｎ））から取得され得る。いくつかの実施形態において、スパース比の粒度は、Ｎ１及び／又はＮ２を変更することにより調整され得る。例えば、Ｎ１＝４の場合、１／４、１／２、３／４及び１のスパース比が第１のダイバーシチチャネルに対して可能であり、一方、Ｎ１＝８の場合、１／８、１／４、３／８、１／２、５／８、３／４、７／８及び１を含む、第１のダイバーシチチャネルに対するスパース比についてのより多くのオプションが可能である。
【０１２３】
ｆ１及びｆ２のいずれか一方又は両方は、例えば、上記で説明されたＵＥ又はＵＥグループ情報及び／又は他の特性に基づいたものであり得る。より高次のダイバーシチチャネルには、区分けの追加のレベル及び追加のＵＥに固有又はＵＥに固有でない機能があり得る。
【０１２４】
図４Ａは、マルチレベルダイバーシチチャネルを取得する例示的な方法を示すフロー図である。例示的な方法４５０は、４５２において、ＧＦアクセス領域を複数のパーティションに区分けする段階を含む。４５２における区分けする段階は、ネットワーク機器により実行され、ＵＥにシグナリングされ、ＵＥにより実行又はＵＥにおいて予め構成され得る。また、パーティションの数（Ｎ１）及び各パーティションのサイズ（Ｎ２）の選択は、ネットワーク機器により判定され、ＵＥにシグナリングされ、ＵＥにより実行又はＵＥにおいて予め構成され得る。そのようなパラメータの選択は、限定されるものではないが、トラフィック負荷、アプリケーションタイプ、ダイバーシチチャネルプールサイズ、及び、必要な又は目標ＫＰＩに基づき得る。４５４において、例えば、トラフィック要件に基づいて、ＧＦ  ＵＥは、（図４の２レベルダイバーシチチャネルに対する）パーティション、又は、（より高次のダイバーシチチャネルに対する）パーティションの複数のレベルを選択又は取得する。４５６において、ＵＥは、図４に示されるダイバーシチチャネルにおいて、ＧＦアップリンク伝送におけるトラフィックを伝送する。４５４、４５６における選択のいずれか一方又は両方は、ネットワーク機器により実行され、ＵＥにシグナリングされ、又は、ＵＥにより実行され得る。上記で説明されるｆ１及びｆ２関数は、４５４、４５６における選択で、それぞれ用いられ得る関数の例である。
【０１２５】
いくつかの実施形態において、パーティションは、基本リソースユニットとして規定されることができ、限定されるものではないが、スロット又はミニスロット又はシンボル上に規定されるリソースブロック（ＲＢ）を含む。この場合、第１レベルのダイバーシチチャネルは、データ伝送用に各ＵＥに用いられる基本リソースユニットを規定する。他の実施形態において、各基本リソースユニットは、さらに区分けされることができ、ダイバーシチチャネルは、これらのパーティション上に規定されることができる。他の実施形態において、最後のダイバーシチチャネルは、各基本リソースユニット上で規定されるダイバーシチチャネルのセットと共に、選択された基本リソースユニットとして表され得る。各基本リソースユニット内のダイバーシチチャネルのセットは、例えば、各基本リソースユニットに対して同じであり得る、又は、異なるリソースユニット間で異なり得るホッピングパターンにより取得され得る。
【０１２６】
図５は、パーティション及びホッピングベースのダイバーシチチャネル設計の例を示すブロック図である。図４を参照して上記で説明されたマルチレベルダイバーシチチャネルと同様に、図５における例示的なパーティションベースのダイバーシチチャネルは、パーティション５０２、この例では、アクセス領域５００全体のうちの６個をまず規定することにより生成される。各パーティション５０２上に規定されるダイバーシチチャネルは、基本ダイバーシチチャネルとも称されてよく、そのうちの１つが図５の下部に示される。
【０１２７】
パーティション５０２の総数がＭであると仮定する。Ｌ個の異なるダイバーシチチャネルｃ１,・・・,ｃＬは、本明細書で説明される方法のいずれかに基づいて、各パーティション５０２に対して規定され得る。各パーティション５０２から別のパーティションへのホッピングパターンを規定することで、各パーティションに対して、ダイバーシチチャネルの連合であるダイバーシチチャネル全体を提供する。
ＤＣ＝［ＤＣ１,・・・,ＤＣＭ］である。ここで、ＤＣｉ∈｛ｃ１,・・・,ｃＬ｝である。
【０１２８】
特定のＵＥへのダイバーシチチャネルの割り当て、例えば、ダイバーシチチャネル全体に関する｛１、２、３、４、５、６｝のホッピングシーケンスは、それぞれのパーティションからのダイバーシチチャネルのセット［ｃ１,ｃ２,・・・,ｃ６］を含む。一般に、ダイバーシチチャネルは、番号の順序で表されることができ、各パーティションにおける基本ダイバーシチチャネルのインデックスをそれぞれ示す。いくつかの実施形態において、番号の順序は、ＬＴＥにおけるインタリーバパターンと同様に、乱数発生器のシードを用いて生成され得る。乱数発生器のシードは、ネットワークによりＵＥに割り当てられ得る、又は、ＵＥｉｄ又はグループＵＥｉｄにマッピング及び／又はＵＥｉｄ又はグループＵＥｉｄにより取得され得る。
【０１２９】
パーティションダイバーシチチャネル及びホッピングパターンのうちのいずれか一方又は両方は、ＵＥに固有であり得、本明細書で説明されるＵＥに固有の情報及び／又は他の特性に基づき得る。例えば、他の実施形態において、パーティションダイバーシチチャネル及びホッピングパターンは、ＵＥに固有ではないが、ＵＥグループ内の複数のＵＥと関連付けられる。
【０１３０】
実施形態において、各パーティションダイバーシチチャネルは、１の値を有する各ダイバーシチチャネルベクトルにおけるたった１ヵ所の位置及び０に設定された他のベクトル位置を用いて規定され、パーティションのサイズはＫ個のＲＥである。つまり、各パーティションにおいて１つのＲＥのみがＵＥに割り当てられる。例えば、各パーティションダイバーシチチャネルベクトルにおける「１」ビットの場所、ひいては、ＵＥに割り当てられるＲＥの場所又は位置は、
（ＵＥｉｄ  ｍｏｄ  Ｋ）＋１
により特定され得る。
【０１３１】
これは、例えば、低ＰＡＰＲのダイバーシチチャネル設計で有用であり得る。
【０１３２】
別の実施形態において、パーティションｉのダイバーシチチャネルベクトルにおける「１」ビットの場所は、ｆ_ｉ（ＵＥｉｄ  ｍｏｄ  Ｋ）により特定され、ｆ_ｉは、関数ｆ_ｉに基づいて、パーティションダイバーシチチャネル間のホッピングパターンを提供するために、各パーティションｉに対して予め定められた関数である。例えば、このタイプのダイバーシチチャネルの規定は、各パーティションダイバーシチチャネルベクトルにおける「１」ビットの場所をランダムにするために用いられ得る。
【０１３３】
パーティション／ＲＢ及びＲＥに基づいた２段階又は２レベルダイバーシチチャネルに関して、２つのベクトルが、ＵＥに割り当てられる１又は複数のＲＥの場所又は位置と、１又は複数のＲＥを含む１又は複数のパーティション／ＲＢの場所又は位置とを特定するために用いられ得る。これは、ダイバーシチチャネルの２より多い段階又はレベルに拡張され得る。
【０１３４】
例えば、本明細書で説明されるダイバーシチチャネル設計／選択技術は、アクセス領域に割り当てられるＲＥに基づいて、ＵＥにより実行され得る。別の実施形態において、ダイバーシチチャネルのセットは、「予め設計」され、メモリ内のルックアップテーブル（ＬＵＴ）に格納される。
【０１３５】
そのような予め設計されたダイバーシチチャネル及びアクセス領域に基づいて本明細書で説明されるその他の事項は、異なるスパースレベル（ｓｐａｒｓｉｔｙ  ｌｅｖｅｌｓ）（異なる数の割り当てられたリソース）を有し得る。ダイバーシチチャネルは、任意の特定の構造を用いないランダムな方式、又は、１又は複数の基準に基づいた構造又はパターンで設計され得る。一例では、光直交符号（ＯＯＣ）を用いることにより、パターン間におけるペアでの壊滅的な衝突の確率を最小限に抑えるようにダイバーシチチャネルを設計する。これは、これらの符号が元々意図されていた目的以外の目的で、これらの符号を用いることを含む。
【０１３６】
（ｎ、ｋ、λ）のＯＯＣは、ｎ−ｋ個のゼロ及びｋ個の１を有する長さｎのシーケンスのファミリであり、これらのペアでの重複及び巡回シフトは最大でもλである。ＯＯＣシーケンスの巡回シフトはすべて、光ＣＤＭＡと異なり、異なる署名として用いられ得る。例えば、２５トーンのブロックに関して、３つの非ゼロトーンについての１００個の異なるシーケンスが、最大でも１つのトーンで重複するそれらの各ペア（４ＯＯＣ×２５巡回シフト）、すなわち、｛０，１，６｝、｛０，２，９｝、｛０，３，１１｝、｛０，４，１３｝と共に用いられ得る。
【０１３７】
いくつかの実施形態において、ホッピングパターンに基づいて、予め設計されたダイバーシチチャネルを用いることは、１又は複数の基準に基づいて、ホッピングパターンのプールを選択することを含む。これらの基準は、限定されるものではないが、衝突の数を最低限に抑えること、すなわち、各パーティション上で同じダイバーシチチャネルを用いることを含み得る。例えば、３つのダイバーシチチャネルが必要とされ、６つのパーティション、及び、１、２及び３でインデックス付けされた３つの基本ダイバーシチチャネルがある場合、以下のダイバーシチチャネルは、各パーティション上での衝突がないことを保証する。ＤＣ１＝｛１  ２  ３  １  ２  ３｝、ＤＣ２＝｛３  １  ２  ３  １  ２｝、ＤＣ３＝｛２  ３  １  ２  ３  １｝。
【０１３８】
ダイバーシチチャネルを生成するために用いられる方法に関わらず、所与の数のダイバーシチチャネル、例えば、Ｎは、ネットワーク機器によりオフラインで生成され、ルックアップテーブル（ＬＵＴ）に格納され得る。例えば、ＬＵＴは、ダイバーシチチャネル全体を生成するために、基本ダイバーシチチャネル及びホッピングシーケンスのリストを包含してよい。別の例では、ＬＵＴは、所望のダイバーシチチャネルを生成するために、インターリーブ／スクランブルパターンを記述又はモデリングする置換行列を包含してよい。いくつかの実施形態において、ＬＵＴは、ダイバーシチチャネルのリストの全部を含まないかもしれない。例えば、ＬＵＴは、基本ダイバーシチチャネル又はいくつかの基本置換行列などのリストのみを包含してよい。そして、各ＵＥは、このリスト、及び、限定されるものではないが、ＵＥｉｄ又はグループＵＥｉｄにマッピングされ得る、乱数発生器のシード及び／又はハッシュ関数を含むいくつかのインジケータに基づいて、それ自体のダイバーシチチャネルを生成できる。
【０１３９】
各ＵＥに対するダイバーシチチャネルの割り当ては、ネットワーク機器により各ＵＥに構成及び送信され得る。例えば、乱数発生器のシード又はハッシュ関数は、ＵＥに割り当てられて伝送され得、そして、ＵＥは、乱数発生器のシード又はハッシュ関数から決定されたインデックスに基づいて、ＬＵＴからそのダイバーシチチャネルを選択する。２段階のダイバーシチチャネルの生成／割り当てを用いる実施形態において、第１のダイバーシチチャネルのプール（例えばパーティション／ＲＢ）及び／又は第２のダイバーシチチャネルのプールは、半静的／ＲＲＣ／上位層シグナリングを用いて、又は、動的シグナリングを用いて、ＵＥにシグナリングされ得る。いくつかの実施形態において、ＵＥｉｄ／グループＵＥｉｄと、各ダイバーシチチャネルの選択との間のマッピング関数は、さらに又は代わりに、ＵＥにシグナリングされ得る。そのようなマッピング関数は、例えば、関数ｆ１及びｆ２、１又は複数の乱数発生器のシード、ハッシュ関数、インタリーバ／スクランブルパターン及び／又はホッピングシーケンスを含み得る。別の実施形態において、マッピング関数は、予め構成されており、シグナリングが含まれていない。１つの段階又は１つのレベルのダイバーシチチャネルの生成／割り当てを用いる実施形態において、ダイバーシチチャネルのプールは、半静的／ＲＲＣ／上位層シグナリングを用いて、又は、動的シグナリングを用いて、ＵＥにシグナリングされ得る。いくつかの実施形態において、ＵＥｉｄと、各ダイバーシチチャネルの選択との間のマッピング関数は、さらに又は代わりに、ＵＥにシグナリングされ得る。そのようなマッピング関数は、関数ｆ、乱数発生器のシード、ハッシュ関数、インタリーバ／スクランブルパターン及び／又はホッピングシーケンスを含み得る。いくつかの他の実施形態において、ダイバーシチチャネルの選択用のシグナリングはなく、単に、ダイバーシチチャネルを生成するための、ＵＥｉｄ／グループＵＥｉｄ間のマッピング関数又はルールがＵＥにシグナリングされる。この場合、マッピング関数は、ゼロでないＲＥの数及びＲＥの総数といったそのようなパラメータに基づいてダイバーシチチャネルが直接導出される。別の実施形態において、マッピング関数は、予め構成されており、シグナリングが含まれていない。
【０１４０】
例えば、各ＵＥは、代わりに、その所望のスパースレベル及びＵＥｉｄに基づいて、ダイバーシチチャネルを選択し得る。ＬＵＴは、メモリにおいてアクセスされ、所望のスパースレベルのサブセットが検索され得、そして、各ＵＥは、インデックス、すなわち、ＵＥｉｄ  ｍｏｄ  ｎ、例えば、ｎはダイバーシチチャネルの総数である、を用いてダイバーシチチャネルを選択し得る。
【０１４１】
ＵＥのダイバーシチチャネルの割り当ては、さらに又は代わりに、他のＵＥに固有又はＵＥに固有でない情報、及び／又は、本明細書で説明される他の特性に基づき得る。
【０１４２】
実施形態において、様々なＬＵＴは、様々なセル又はカバレッジエリアにおいて用いられる。例えば、別の実施形態では、グローバルＬＵＴが用いられ、ＵＥは、ＵＥｉｄ及びセル識別子に基づいて、ＬＵＴ内のインデックスを検索する。他の情報が、さらに又は代わりに、ダイバーシチチャネルのインデックスを判定する際、そうでない場合、各ＵＥにより選択されるダイバーシチチャネルを識別する際に考慮され得る。
【０１４３】
上述のように、ダイバーシチチャネルは、異なるスパースレベルを有し得り、異なる数のＲＥを含む。例えば、ＵＥは、ある長さ未満であるパケットを送信するために、複数のＲＥを含むダイバーシチチャネルを選択し、より長いパケットを送信するために、多数のＲＥを含むダイバーシチチャネルを選択するかもしれない。ＬＵＴの様々なサブセットは、特定のＧＦ伝送のために所望のサイズを有するダイバーシチチャネルが検索され又は選択し得る。いくつかの実施形態において、スパースレベルの選択は、限定されるものではないが、ＰＡＰＲ要件及び信頼性要件などを含む他の要件に基づき得る。
【０１４４】
本明細書で説明される他の機能は、ＬＵＴからダイバーシチチャネルを投入及び／又は選択する際に適用され得る。例えば、ＧＦアクセス領域が複数のパーティションに区分けされ得、基本ダイバーシチチャネルの大きなプールが各パーティションに対して規定され得る。区分け及び基本ダイバーシチチャネル情報がＬＵＴに格納され得る。いくつかの実施形態において、パーティションの数は、ネットワークにより動的又は半静的に構成され得る、又は、ＬＵＴに格納され得る。
【０１４５】
いくつかの実施形態において、ＧＦ伝送により伝送されたデータは、さらなるＧＦ伝送において伝送され得る。例えば、そのような後続の伝送は、肯定応答（ＡＣＫ）／否定応答（ＮＡＣＫ）ベースの再伝送、又は、ＡＣＫ／ＮＡＣＫなしの反復であり得る。再伝送技術の例は、例えば、２０１６年４月１日に出願された米国特許出願第１５／０８８，６０７号に説明されており、内容すべてが参照により本明細書に組み込まれる。
【０１４６】
ＡＣＫ／ＮＡＣＫベースの再伝送に関して、ＵＥによる第１のＧＦ伝送後に、受信機は、データが正しくデコードされていない場合、ＮＡＣＫを送信し、ＵＥは、ＮＡＣＫに応答してデータを再伝送する。第１の伝送用のダイバーシチチャネルと、次の再伝送用のダイバーシチチャネルとの間には、１対１のマッピングがあり得る。このマッピングは、ＵＥに固有、ＵＥに固有でない、又は、それらの組み合わせであり得る。例えば、このマッピングは、乱数発生器のシード又はハッシュ関数を割り当てることに基づいて、ネットワークにより構成され得る。いくつかの実施形態において、マッピングは、さらに又は代わりに、ＵＥｉｄ、及び／又は、本明細書で説明される他のＵＥに固有又はＵＥに固有でない情報又は特性に基づき得る。
【０１４７】
ダイバーシチチャネルは、その再伝送のために、ネットワークによりＵＥに割り当てられ得る。ネットワーク機器、例えば、ネットワークエレメントは、ダイバーシチチャネル候補のセット間のダイバーシチチャネルインデックス（明示的なシグナリング）、又は、ＵＥが、その再伝送ダイバーシチチャネルインデックスを識別できる他の情報（暗黙的なシグナリング）をＵＥに送信し得る。
【０１４８】
ＡＣＫ／ＮＡＣＫなし再伝送に関して、ＵＥは、ＡＣＫ／ＮＡＣＫを待つことはせず、ある（おそらく構成可能な）回数、又は、ＵＥがさらなる再伝送を一切送信しないことを要求するための信号を受信機が送信するまで、データを再伝送してよい。これは、反復とも称される。これは、例えば、ＵＥからの信号をデコードすることに対するレイテンシの制約がある場合、低レイテンシアプリケーション、例えば、ｕＲＬＬＣシナリオに適用されるかもしれない。
【０１４９】
この場合、最初のダイバーシチチャネルの選択又は割り当ては、第１の伝送及び次の後続の伝送用の複数のダイバーシチチャネルを選択又は割り当てることを含み得、再伝送及び／又は反復を含み得る。この方式では、伝送及び再伝送／反復のシーケンスは、最初の伝送及び各後続の再伝送／反復用の特定のダイバーシチチャネルを選択するために、まず、ダイバーシチチャネルのプライマリセットとホッピングシーケンスとを選択又は割り当てることを含み得る。
【０１５０】
例えば、ダイバーシチチャネルのプライマリセットは、ＬＵＴからダイバーシチチャネルのプライマリセットをＵＥが選択できる乱数発生器のシード又はハッシュ関数を割り当てることに基づいて、各ＵＥにより選択され、又は、ネットワークにより構成され得る。別の実施形態において、ダイバーシチチャネルのプライマリセットの選択又は割り当ては、さらに又は代わりに、ＵＥｉｄ及び／又は本明細書で説明される他の情報又は特性に基づいている。例えば、ダイバーシチチャネルのプライマリセットは、ダイバーシチチャネルのベクトルにおいて特定され得る。
【０１５１】
同様に、プライマリダイバーシチチャネル間のホッピングパターンは、乱数発生器のシード又はハッシュ関数を割り当てることに基づいて、各ＵＥにより選択され、又は、ネットワークにより構成され得る。別の実施形態において、プライマリダイバーシチチャネル間のホッピングパターンは、さらに又は代わりに、ＵＥｉｄ及び／又は本明細書で説明される他の情報又は特性に基づいている。
【０１５２】
例えば、最初の伝送及び再伝送に対するダイバーシチチャネルのセットの割り当ては、さらに又は代わりに、ダイバーシチチャネルがＧＦアクセス領域全体に広がるようにすることで、ダイバーシチを拡張又は最大化することを含む、一定の基準を考慮し得る。
【０１５３】
ある伝送から別の伝送に割り当てられるダイバーシチチャネルのスパースレベルが変化する可能性もある。
【０１５４】
図６、図７及び図７Ａは、例示的な方法を示すフロー図である。
【０１５５】
例示的な方法６００は、通信システム内の１つのＵＥ又はＵＥのグループに、ＧＦ伝送用の通信リソースのセット（図６のアクセス領域）を割り当てる工程６０２を含む。方法は、ＵＥのグループ内の１つのＵＥ又は複数のＵＥに、ＧＦ伝送用に割り当てられた通信リソースのセット内のダイバーシチチャネルのセットを割り当てることも含み得る。いくつかの実施形態において、１又は複数のＵＥに固有のダイバーシチチャネルのそれぞれのセットが各ＵＥに割り当てられる。別の実施形態において、例えば、ダイバーシチチャネルは、ネットワークに固有であり得、同じダイバーシチチャネルが、１より多いＵＥに割り当てられる。いくつかの実施形態において、ダイバーシチチャネルの割り当ては、各ＵＥがダイバーシチチャネルを割り当てられるという意味でＵＥに固有であるが、ＵＥに対するダイバーシチチャネルの割り当てルールは、１対多のマッピングであり、１つのダイバーシチチャネルが、１より多いＵＥに構成又は割り当てられてよいことを意味する。
【０１５６】
６０４において、ＧＦ伝送用のアクセス領域に対する割り当て又はリソースに関する情報が、ＵＥに伝送され得、６０６において、ダイバーシチチャネルのセットに関するリソース選択情報が、さらに又は代わりに、ＵＥに伝送され得る。いくつかの実施形態では、６０６において伝送される情報は、ＵＥが、その割り当てられたダイバーシチチャネルのセットを識別する情報を含み、その割り当てられたダイバーシチチャネルのセットの明示的な識別情報、又は、その割り当てられたダイバーシチチャネルのセットの暗黙的な識別情報を含み得る。他の実施形態において、割り当てられたダイバーシチチャネルのセットに関して、ＵＥに対するシグナリングは存在しない。例えば、いくつかの実施形態において、割り当てられたダイバーシチチャネルのセットは、ＵＥｉｄにマッピングされる格納されたＬＵＴ及び乱数発生器のシード又はハッシュ関数などからＵＥにより取得され得る。この場合、６０６における工程が省略される。
【０１５７】
６０４、６０６における工程は、１つの可能なシグナリングメカニズムを示す。示されるように、そのような２段階シグナリングは、ＵＥによりアクセス領域が識別され得る６０４におけるある情報の伝送と、いくつかの実施形態におけるＵＥに固有のダイバーシチチャネライゼーションであるチャネライゼーションがＵＥにより判定され得る情報についての別の伝送とを含み得る。別の実施形態において、アクセス領域及びチャネライゼーションの１段階シグナリングが用いられる。
【０１５８】
例示的な方法６００は、実施形態におけるネットワークエレメント及び／又は他のネットワーク機器により実行される工程を示す。例示的な方法７００は、ＵＥで実行される例示的な方法を示す。
【０１５９】
例示的な方法７００は、７０２において、ＧＦ伝送用のデータを検出する段階を含む。様々な技術のいずれか、例えば、キューレベルをモニタリングする段階は、ＵＥが送信するデータを有する場合に、７０２において判定するために用いられ得る。７０４において、通信リソースのセット、例えば、アクセス領域から、これらのリソースのサブセットが、ＵＥによるグラントフリー伝送のために選択される。ダイバーシチチャネルの例（ＵＥに固有であっても、そうでなくてもよい）が７０４に示され、本明細書でさらに説明される。７０６において、データは、通信リソースの選択されたサブセットを用いて、ＵＥからグラントフリー伝送により伝送される。
【０１６０】
いくつかの実施形態は、データの再伝送及び／又は反復を含む、後続のさらなるデータの伝送を提供してよい。そのような実施形態において、ＵＥはまた、７０８におけるデータのグラントフリー再伝送／反復用の通信リソースのさらなるサブセットを選択し、通信リソースの選択されたさらなるサブセットを用いて、ＵＥからグラントフリー伝送により、７１０におけるデータを再伝送し得る。通信リソースの様々なサブセットが選択され、各後続の伝送に用いられ得る。これは、図７における７１０から７０８への破線の矢印により表される。
【０１６１】
７０４、７０８における選択は、例えば、ＧＦ伝送及びＧＦ再伝送／反復ダイバーシチチャネルの両方を選択するために、同時に行われ得る。
【０１６２】
７０４及び／又は７０８における選択は、例えば、ＵＥの識別子、シグナリング、又は通信システム内のネットワーク機器からＵＥにより受信される情報、７０４に示されるような１又は複数の関数、又は、７０４に示されるようなパーティション及びホッピングシーケンスに基づき得る。選択は、さらに又は代わりに、ルックアップテーブルから選択する段階を含み得る。
【０１６３】
上述のように、例示的な方法６００は、実施形態におけるネットワークエレメント及び／又は他のネットワーク機器により実行される工程を示し、例示的な方法７００は、ＵＥで実行される方法を示す。図７Ａは、ネットワーク側及びＵＥ側の工程の両方を含む例示的な方法を示す。
【０１６４】
例示的な方法７５０は、７５２におけるＧＦリソースの割り当て含む。ネットワーク機器は、７５２において、アクセス領域に対するリソース割り当てを処理し得、また、アクセスチャネルにリソースを割り当て、及び／又は、ＵＥにアクセスチャネルを割り当て得る。７５４において、ネットワーク機器は１又は複数のＵＥにリソース情報を伝送する。リソース情報は、アクセス領域についての明示的及び／又は暗黙的シグナリング、及び、場合によりダイバーシチチャネルの割り当てを含み得る。
【０１６５】
７５６において、ＵＥは、ＧＦ伝送用に、ＧＦリソース、例示的には、ダイバーシチチャネルを取得する。ＧＦリソースを取得することは、本明細書で開示されるリソース又はダイバーシチチャネルの選択オプションのいずれか一方を含み得る。７５８において、ＵＥは、アップリンクＧＦ伝送を伝送する。
【０１６６】
７６０において、ネットワーク機器は、アクセス領域の第１のダイバーシチチャネルにおいて、ＵＥからアップリンクグラントフリー伝送を受信する。ネットワーク機器はまた、アクセス領域の第２のダイバーシチチャネルにおいて、第２のＵＥから第２のアップリンクグラントフリー伝送を受信し得る。第１のダイバーシチチャネル及び第２のダイバーシチチャネルは、少なくとも１つのＲＥを包含し、アクセス領域において部分的に重複し得る。
【０１６７】
いくつかの実施形態において、ネットワーク機器は、７６２において、ＧＦ伝送におけるデータが、正しくデコードされているか否かを判定し、正しくデコードされていない場合、アップリンクＧＦ伝送を伝送したＵＥにＮＡＣＫを送信してよい、又は、ＡＣＫ／ＮＡＣＫなしの実施形態では、単に、再伝送／反復を待ってよい。
【０１６８】
７６６において、ＵＥは、再伝送／反復が行われたか否かを判定する。この判定は、ＮＡＣＫを受信したことに基づき得る、又は、いくつかの実施形態では、ＧＦ伝送が伝送された受信機がＧＦ伝送を確認しない限り、又は、確認するまで、一定の数の再伝送／反復が自動的に行われてよい。７６８において、さらなるリソース、例えば、さらなるダイバーシチチャネルが、ＵＥにより取得され、７７０において、アップリンクＧＦ再伝送が伝送される。後続の再伝送／反復が、異なるリソース／ダイバーシチチャネルを用いて行われてもよい。７６８において再伝送／反復用のさらなるリソースを取得することは、７５６におけるリソースを取得することの一部として実現され得る。アップリンクＧＦ伝送リソース及びアップリンクＧＦ再伝送／反復リソースは、最初のアップリンクＧＦ伝送前に、７５６において取得され得る。
【０１６９】
７７２において、ネットワーク機器は、アップリンクＧＦ再伝送を受信し、７６２、７６４、７７２における工程が、複数の再伝送／反復がＵＥにより行われる場合に、反復されてよい。
【０１７０】
例示的な方法６００、７００、７５０及び前述した例示的な方法４５０は、実施形態を示す。他の実施形態は、異なる又は追加の工程を含み得る。工程が実行される順序はまた、図４Ａ、図６、図７及び図７Ａに示される順序と同様、又は、それらとは異なり得る。実行され得る追加の処理及び／又は示される工程を実行するための様々なやり方の例が、明らかであり得る、又は、明らかになる。
【０１７１】
例えば、図７Ａに大まかに示されるように、アップリンクデータ伝送のための方法は、７５６においてＧＦリソースを取得するＵＥを含み得る。実施形態において、ＵＥは、アップリンクグラントフリーデータ伝送のための少なくとも１つのダイバーシチチャネルを取得する。実施形態において、少なくとも１つのダイバーシチチャネルは、ＵＥに割り当てられるアップリンクグラントフリー伝送リソースを含み、アップリンクグラントフリー伝送リソースは、アクセス領域のパーティションに対応する１又は複数の位置と、アクセス領域の各パーティション内のＲＥに対応する１又は複数の位置とを含む。方法は、ＵＥにより、ネットワーク機器からグラント情報を受信することなく、少なくとも１つのダイバーシチチャネルにおいて、７５８におけるアップリンクの最初のデータ伝送と、７７０における後続の伝送とを伝送する段階を含んでもよい。
【０１７２】
例示的な方法１７５０におけるＵＥの工程のバリエーション、及び／又は、本明細書で開示される他の例示的な方法は、
アクセス領域内の、ＵＥに割り当てられるＲＥが非連続的であること、
ＵＥにより、少なくとも１つのダイバーシチチャネルを示すためのシグナリングを受信すること、
シグナリングが、少なくとも１つのダイバーシチチャネルとの間で予め定められた関係を有する少なくとも１つのインデックス、例えば、１又は複数のパーティションインデックス及び／又は１又は複数のＲＥインデックスを含むこと、
少なくとも１つのダイバーシチチャネルが、ＵＥの識別情報と関連付けられ、ＵＥは、ＵＥの識別情報に基づいて、ルックアップテーブルから少なくとも１つのダイバーシチチャネルを取得すること、
少なくとも１つのダイバーシチチャネルが、関数ｆ１及びｆ２により規定される２つのレベルのダイバーシチチャネルであり、ｆ１（ｍ１、Ｎ１）であり、ｍ１が、ダイバーシチチャネルに対して割り当てられるパーティションの数であり、Ｎ１が、アクセス領域内のパーティションの総数であり、ｆ２（ｍ２、Ｎ２）であり、ｍ２が、ＵＥに対して割り当てられるＲＥの数であり、Ｎ２が、各パーティションにおけるＲＥの総数であること、
ＵＥがネットワーク機器からＮＡＣＫを受信した後、又は、ＡＣＫ／ＮＡＣＫなしのスキームに基づいて、ＵＥにより、少なくとも１つのダイバーシチチャネルにおいて、後続の伝送を伝送すること
のうちの任意の１又は複数を含み得る。
【０１７３】
同様に、図７Ａはまた、アップリンクデータ伝送のための方法において、ネットワーク機器により、第１のＵＥにグラント情報を伝送することなく、第１のダイバーシチチャネルにおいてＵＥから、７６０におけるアップリンクの最初のデータ伝送と、７７２における後続の伝送とを受信する段階を大まかに示す。実施形態において、第１のダイバーシチチャネルは、ＵＥに割り当てられるアップリンクグラントフリー伝送リソースを含み、アップリンクグラントフリー伝送リソースは、アクセス領域のパーティションに対応する１又は複数の位置と、アクセス領域の各パーティション内のＲＥに対応する１又は複数の位置とを含む。
【０１７４】
例示的な方法１７５０におけるネットワーク機器の工程のバリエーション、及び／又は、本明細書で開示される他の例示的な方法は、
第２のＵＥにグラント情報を伝送することなく、ネットワーク機器により、第２のダイバーシチチャネルにおいて、第２のＵＥからアップリンクの最初のデータ伝送及び後続の伝送を受信すること、
第１のダイバーシチチャネルが、第２のダイバーシチチャネルと部分的に重複する少なくとも１つのＲＥを含むこと、
ネットワーク機器により、第１のダイバーシチチャネルを示すシグナリングを伝送すること、
シグナリングが、第１のダイバーシチチャネルとの間で予め定められた関係を有する少なくとも１つのインデックス、例えば、１又は複数のパーティションインデックス、及び／又は、１又は複数のＲＥインデックスを含むこと、
第１のダイバーシチチャネルが、第１のＵＥの識別情報と関連付けられ、第１のＵＥの識別情報が、第１のダイバーシチチャネルとの間で予め定められた関係を有すること、
第１のダイバーシチチャネルが、関数ｆ１及びｆ２により規定される２レベルダイバーシチチャネルであり、ｆ１（ｍ１、Ｎ１）であり、ｍ１が、ダイバーシチチャネルに対して割り当てられるパーティションの数であり、Ｎ１が、アクセス領域内のパーティションの総数であり、ｆ２（ｍ２、Ｎ２）であり、ｍ２が、ＵＥに対して割り当てられるＲＥの数であり、Ｎ２が、各パーティションにおけるＲＥの総数であること
のうちの任意の１又は複数を含み得る。
【０１７５】
図８は、例示的なネットワーク機器を示すブロック図である。例示的なネットワーク機器８００は、８０６における１又は複数のアンテナに結合される送信機８０２及び受信機８０４を含む。ネットワーク機器８００は、送信機８０２に結合されるリソースマネージャ８０８、及び、受信機８０４及びリソースマネージャに結合されるトラフィック／ネットワークモニタ８１０も含む。メモリ８１２は、リソースマネージャ８０８に結合される。
【０１７６】
ソフトウェアを実行するハードウェア、ファームウェア、コンポーネント又はそれらのいくつかの組み合わせは、少なくとも送信機８０２、受信機８０４、リソースマネージャ８０８及びトラフィック／ネットワークモニタ８１０を実装する際に用いられるかもしれない。これらのうちのいずれか又はすべてのコンポーネントを実装するのに適しているかもしれない電子デバイスは、その他の中でも、マイクロプロセッサ、マイクロコントローラ、プログラマブルロジックデバイス（ＰＬＤ）、フィールドプログラマブルゲートアレイ（ＦＰＧＡ）、特定用途向け集積回路（ＡＳＩＣ）、及び、他のタイプの「インテリジェント」な集積回路を含む。
【０１７７】
ネットワーク機器８００の動作に用いられ得るソフトウェア、及び／又は、ＬＵＴ又は他の情報は、通信リソース管理に含まれ、メモリ８１２に格納され得る。メモリ８１２は、１又は複数の物理メモリデバイスを含む。メモリデバイスは、代わり、図８に示されるコンポーネントのうちの１又は複数の内部にあり得る。示されるコンポーネントに、又は、これらのコンポーネントを実装する１又は複数のプロセッサに動作可能に結合される外部メモリデバイスも可能である。メモリデバイスの例は上記で提供されている。
【０１７８】
送信機８０２は、周波数アップコンバージョン及び変調といった動作を実行し得、送受信機内に送信機８０２と共に統合され、又は、示されるように個別にあり得る受信機８０４は、周波数ダウンコンバージョン及び復調を含む逆演算を実行し得る。送信機８０２及び受信機８０４は、サポート対象の特定の実装及び通信機能及びプロトコルのタイプに依存して、これらの例示的な操作の代わり又は加えて、他の操作を実行し得る。送信機８０２及び受信機８０４は、少なくともＵＥに通信信号を送信し、当該ＵＥから通信信号を受信するように動作可能である。同じ送信機８０２及び受信機８０４又は異なる送信機及び受信機は、ネットワーク機器８００がネットワークエレメント及び／又は通信ネットワーク内の他のネットワーク機器と通信することを可能にし得る。
【０１７９】
８０６に示されるアンテナは、別個の受信及び送信アンテナ又はアンテナのセットを含み得、又は、同じアンテナ又はアンテナのセットは、通信信号を伝送すること及び受信することの両方に用いられ得る。８０６におけるアンテナは、ネットワーク機器８００とＵＥとの間の通信を可能にするために、ＵＥのアンテナと互換性がある。例えば、ネットワーク機器は、他のコンポーネント、例えば、他のネットワーク機器に対する１又は複数のインタフェースを含んでよい。
【０１８０】
リソースマネージャ８０８、又は、プロセッサベースの実施形態におけるプロセッサは、通信システム内の１つのＵＥ又はＵＥのグループにグラントフリー伝送用の通信リソースのセットを割り当て、グラントフリー伝送用に割り当てられた通信リソースのセットにおけるダイバーシチチャネルのセットを、ＵＥのグループ内の１つのＵＥ又は複数のＵＥに割り当てるように動作可能である。いくつかの実施形態において、リソースマネージャ８０８、又は、プロセッサベースの実施形態におけるプロセッサは、さらに又は代わりに、本明細書で説明される他の機能を実現するように構成される。
【０１８１】
いくつかの実施形態において、受信機８０４は、アクセス領域の第１のダイバーシチチャネルにおいて、第１のＵＥから第１のアップリンクグラントフリー伝送を受信し、アクセス領域の第２のダイバーシチチャネルにおいて、第２のＵＥから第２のアップリンクグラントフリー伝送を受信するように動作可能である。第１のダイバーシチチャネル及び第２のダイバーシチチャネルは、少なくとも１つのＲＥを含み、アクセス領域において部分的に重複し得る。
【０１８２】
トラフィック／ネットワークモニタ８１０、又は、プロセッサベースの実施形態におけるプロセッサは、トラフィックをモニタリングし、アクセス領域及び／又はＵＥにリソースを割り当てることに使用するために、リソースマネージャ８０８にトラフィック情報を提供し得る。トラフィック／ネットワークモニタ８１０、又は、プロセッサベースの実施形態におけるプロセッサは、さらに又は代わりに、受信したアップリンクＧＦ伝送及び再伝送／反復を処理し、及び／又は、アップリンクＧＦ伝送及び再伝送／反復において受信したデータが正しくデコードされたか否かを判定し、正しくデコードされていない場合、ＮＡＣＫを送信し、又は、そうでない場合、例えば、いくつかの実施形態において、再伝送を要求し得る。
【０１８３】
いくつかの実施形態において、リソースマネージャ８０８、送信機８０２、受信機８０４及び／又はトラフィック／ネットワークモニタ８１０のうちの１又は複数、又は、プロセッサベースの実施形態におけるプロセッサは、さらに又は代わりに、本明細書で開示される他の機能を実装するように構成される。ネットワーク機器８００及び／又はそれらのコンポーネントにより実行され得る追加の処理の例及びそのような動作を実行する様々なやり方が、本明細書で説明される。
【０１８４】
例えば、図８は、送信機８０２と、第１のＵＥにグラント情報を伝送することなく、第１のダイバーシチチャネルにおいて、第１のＵＥからアップリンクの最初のデータ伝送及び後続の伝送を受信する受信機８０４とを含むネットワーク機器を示す。本明細書で詳細に説明されるように、第１のダイバーシチチャネルは、第１のＵＥに割り当てられるアップリンクグラントフリー伝送リソースを含むことができ、アップリンクグラントフリー伝送リソースは、アクセス領域のパーティションに対応する１又は複数の位置と、アクセス領域の各パーティション内のＲＥに対応する１又は複数の位置とを含むことができる。
【０１８５】
実施形態は、
受信機が、第２のＵＥにグラント情報を伝送することなく、第２のダイバーシチチャネルにおいて、第２のＵＥからアップリンクの最初のデータ伝送及び後続の伝送を受信するようにさらに構成されること、
第１のダイバーシチチャネルが、第２のダイバーシチチャネルと部分的に重複する少なくとも１つのＲＥを含むこと、
送信機が、第１のダイバーシチチャネルを示すためのシグナリングを送信するように構成されること、
シグナリングが、第１のダイバーシチチャネルとの間で予め定められた関係を有する少なくとも１つのインデックス、例えば、１又は複数のパーティションインデックス及び／又は１又は複数のＲＥインデックスを含むこと、
第１のダイバーシチチャネルが、第１のＵＥの識別情報と関連付けられ、第１のＵＥの識別情報が、第１のダイバーシチチャネルとの間で予め定められた関係を有すること、
第１のダイバーシチチャネルが、関数ｆ１及びｆ２により規定される２レベルダイバーシチチャネルであり、ｆ１（ｍ１、Ｎ１）であり、ｍ１が、ダイバーシチチャネルに対して割り当てられるパーティションの数であり、Ｎ１が、アクセス領域内のパーティションの総数であり、ｆ２（ｍ２、Ｎ２）であり、ｍ２が、ＵＥに対して割り当てられるＲＥの数であり、Ｎ２が、各パーティションにおけるＲＥの総数であること
のうちの任意の１又は複数を含みうる。
【０１８６】
図９は、例示的なＵＥを示すブロック図である。例示的なＵＥ９００は、９０６における１又は複数のアンテナに結合される送信機９０２及び受信機９０４と、送信機及び受信機に結合されるリソースマネージャ９０８と、リソースマネージャに結合されるメモリ９１０とを含む。
【０１８７】
一般に、ソフトウェアを実行するハードウェア、ファームウェア、コンポーネント又はそれらのいくつかの組み合わせは、送信機９０２、受信機９０４及び／又はリソースマネージャ９０８を実装する際に用いられるかもしれない。ソフトウェアを実行するハードウェア、ファームウェア及びコンポーネントの例は、図８を参照して上記で説明されている。
【０１８８】
ＵＥ９００の動作に用いられ得るソフトウェア、及び／又は、ＬＵＴ又は他の情報は、通信リソース管理に含まれ、メモリ９１０に格納され得る。メモリ９１０は、１又は複数の物理メモリデバイスを含む。メモリデバイスは、代わりに、図９に示されるコンポーネントのうちの１又は複数の内部にあり得る。示されるコンポーネントに、又は、これらのコンポーネントを実装する１又は複数のプロセッサに動作可能に結合される外部メモリデバイスも可能である。メモリデバイスの例は上記で提供されている。
【０１８９】
送信機９０２は、周波数アップコンバージョン及び変調といった動作を実行し得、受信機９０４は、周波数ダウンコンバージョン及び復調を含む逆演算を実行し得る。送信機９０２及び受信機９０４は、サポート対象の特定の実装及び通信機能及びプロトコルのタイプに依存して、これらの例示的な操作の代わり又は加えて、他の操作を実行し得る。送信機９０２及び受信機９０４は、１又は複数のネットワークエレメントからの信号を通信ネットワークに送信及び受信するように動作可能である。
【０１９０】
単一のアンテナ９０６が図９に示されているが、ＵＥは、複数のアンテナを含み得る。別個の受信及び送信アンテナ又は複数のアンテナのセットは、９０６で提供され得る、又は、同じアンテナ又は複数のアンテナのセットは、通信信号を受信すること及び送信することの両方のために用いられ得る。アンテナ９０６は、様々なタイプのいずれかのうちの１又は複数のアンテナを含み得る。９０６において提供されるアンテナのタイプ又は各アンテナは、実装に依存し得る。
【０１９１】
実施形態において、リソースマネージャ９０８、又は、プロセッサベースの実施形態におけるプロセッサは、通信システム内の通信リソースのセットから、ＵＥによるグラントフリー伝送用の通信リソースのサブセットを選択するように動作可能であり、送信機９０２は、通信リソースの選択されたサブセットを用いて、ＵＥからグラントフリー伝送によりデータを伝送するように動作可能である。
【０１９２】
別の実施形態において、リソースマネージャ９０８、又は、プロセッサベースの実施形態におけるプロセッサは、アクセス領域の第１のダイバーシチチャネルを取得するように動作可能である。アクセス領域は、ＵＥのグループに対する複数のダイバーシチチャネルを含み、第１のダイバーシチチャネルは、少なくとも１つのＲＥを含み、第２のダイバーシチチャネルと部分的に重複する。送信機９０２は、グラント情報を受信することなく、第１のダイバーシチチャネルにおいてアップリンクグラントフリー伝送を伝送するように動作可能である。
【０１９３】
いくつかの実施形態において、リソースマネージャ９０８、送信機９０２及び受信機９０４のうちの１又は複数、又は、プロセッサベースの実施形態におけるプロセッサは、さらに又は代わりに、本明細書で開示される他の機能を実装するように構成される。
【０１９４】
例えば、図９は、アップリンクグラントフリーデータ伝送のための少なくとも１つのダイバーシチチャネルを取得するためのリソースマネージャ９０８を含むＵＥを示す。本明細書で説明されるように、少なくとも１つのダイバーシチチャネルは、ＵＥに割り当てられるアップリンクグラントフリー伝送リソースを含むことができ、アップリンクグラントフリー伝送リソースは、アクセス領域のパーティションに対応する１又は複数の位置と、アクセス領域の各パーティション内のＲＥに対応する１又は複数の位置とを含むことができる。そのようなＵＥは、示されるように、リソースマネージャ９０８に動作可能に結合され、ネットワーク機器からグラント情報を受信することなく、少なくとも１つのダイバーシチチャネルにおいて、アップリンクの最初のデータ伝送及び後続の伝送を伝送するための送信機９０２も含むことができる。
【０１９５】
ＵＥの別の実施形態は、プロセッサベースであり、アップリンクグラントフリーデータ伝送のための少なくとも１つのダイバーシチチャネルを取得するように構成されるプロセッサを含む。少なくとも１つのダイバーシチチャネルは、本明細書で開示されるように、ＵＥに割り当てられるアップリンクグラントフリー伝送リソース、例えば、アクセス領域のパーティションに対応する１又は複数の位置と、アクセス領域の各パーティション内のＲＥに対応する１又は複数の位置とを含むことができる。そのようなＵＥはまた、プロセッサに動作可能に結合され、ネットワーク機器からグラント情報を受信することなく、少なくとも１つのダイバーシチチャネルにおいて、アップリンクの最初のデータ伝送及び後続の伝送を伝送する送信機を含むことができる。
【０１９６】
ＵＥの実施形態は、
アクセス領域内の、ＵＥに割り当てられるＲＥが非連続的であること、
受信機、例えば９０４が、リソースマネージャ９０８に結合され、又は、プロセッサベースの実施形態においてプロセッサに結合され、少なくとも１つのダイバーシチチャネルを示すためのシグナリングを受信すること、
シグナリングをすることが、少なくとも１つのダイバーシチチャネルとの間で予め定められた関係を有する少なくとも１つのインデックス、例えば、１又は複数のパーティションインデックス及び／又は１又は複数のＲＥインデックスを含むこと、
メモリ、例えば９１０が、リソースマネージャ９０８に結合され、又は、プロセッサベースの実施形態においてプロセッサに結合され、少なくとも１つのダイバーシチチャネルがリソースマネージャを用いてＵＥの識別情報と関連付けられるルックアップテーブルを格納し、又は、プロセッサが、ＵＥの識別情報に基づいて、ルックアップテーブルから少なくとも１つのダイバーシチチャネルを取得するように構成されること、
少なくとも１つのダイバーシチチャネルは、関数ｆ１及びｆ２により規定される２レベルダイバーシチチャネルであり、ｆ１（ｍ１、Ｎ１）であり、ｍ１が、ダイバーシチチャネルに対して割り当てられるパーティションの数であり、Ｎ１が、アクセス領域内のパーティションの総数であり、ｆ２（ｍ２、Ｎ２）であり、ｍ２が、ＵＥに対して割り当てられるＲＥの数であり、Ｎ２が、各パーティションにおけるＲＥの総数であること、
ＵＥが、ネットワーク機器からＮＡＣＫを受信した後、又は、ＡＣＫ／ＮＡＣＫなしのスキームに基づいて、送信機が、少なくとも１つのダイバーシチチャネルにおいて、後続の伝送を送信するように構成されること
のうちの任意の１又は複数を含み得る。
【０１９７】
図８及び図９は、ＵＥ及びネットワーク機器において、それぞれ実現され得る装置の一般的な上位ブロック図である。図１０は、本明細書に開示される実施形態を実装するために用いられ得る例示的なコンピューティングシステムを示すブロック図である。
【０１９８】
例えば、コンピューティングシステム１０００は、ＵＥ、ＡＮ、ＭＭ、ＳＭ、ＵＰＧＷ、ＡＳ又は他のネットワークのうちの任意のエンティティ又はユーザエンティティであり得る。特定のデバイスは、示されるコンポーネントのすべて、又は、コンポーネントのサブセットのみを利用してよく、統合のレベルはデバイス毎に変化してよい。さらに、デバイスは、コンポーネントの複数のインスタンス、例えば、複数の処理ユニット、プロセッサ、メモリ、送信機、受信機などを包含してよい。コンピューティングシステム１０００は、処理ユニット１００２を含む。処理ユニットは、バス１０２０に接続される中央処理装置（ＣＰＵ）１０１４及びメモリ１００８を含み、大容量ストレージデバイス１００４、ビデオアダプタ１０１０及びＩ／Ｏインタフェース１０１２をさらに含んでよい。
【０１９９】
バス１０２０は、メモリバス又はメモリコントローラ、ペリフェラルバス、又は、ビデオバスを含む任意のタイプのいくつかのバスアーキテクチャのうちの１又は複数であってよい。ＣＰＵ１０１４は、任意のタイプの電子データプロセッサを有してよい。メモリ１００８は、任意のタイプの非一時的なシステムメモリ、例えば、スタティックランダムアクセスメモリ（ＳＲＡＭ）、ダイナミックランダムアクセスメモリ（ＤＲＡＭ）、シンクロナスＤＲＡＭ（ＳＤＲＡＭ）、リードオンリメモリ（ＲＯＭ）又はそれらの組み合わせを有してよい。実施形態において、メモリ１００８は、起動用のＲＯＭと、プログラム、及び、プログラムを実行している間に使用するためのデータの格納用のＤＲＡＭとを含んでよい。
【０２００】
大容量ストレージ１００４は、データ、プログラム及び他の情報を格納し、データ、プログラム及び他の情報にバス１０２０を介してアクセス可能にするように構成される任意のタイプの非一時的なストレージデバイスを有してよい。大容量ストレージ１００４は、例えば、ソリッドステートドライブ、ハードディスクドライブ、磁気ディスクドライブ又は光ディスクドライブのうちの１又は複数を有し得る。
【０２０１】
ビデオアダプタ１０１０及びＩ／Ｏインタフェース１０１２は、外部の入出力デバイスを処理ユニット１００２に結合するためのインタフェースを提供する。示されるように、例示的な入出力デバイスは、ビデオアダプタ１０１０に結合されるディスプレイ１０１８及びＩ／Ｏインタフェース１０１２に結合されるマウス／キーボード／プリンタ１０１６を含む。他のデバイスは、処理ユニット１００２に結合されてよく、追加的な又はより少ないインタフェースカードが利用されてもよい。例えば、シリアルインタフェース、例えば、ユニバーサルシリアルバス（ＵＳＢ）（不図示）が、インタフェースを外部デバイスに提供するために用いられ得る。
【０２０２】
処理ユニット１００２は、１又は複数のネットワークインタフェース１００６も含み、ノード又は異なるネットワークにアクセスするための有線リンク、例えば、イーサネット（登録商標）ケーブル及び／又は無線リンクを有してよい。ネットワークインタフェース１００６は、処理ユニット１００２が、ネットワークを介してリモートユニットと通信できるようにする。例えば、ネットワークインタフェース１００６は、１又は複数の送信機／送信アンテナ、及び、１又は複数の受信機／受信アンテナを介して無線通信を提供してよい。実施形態において、処理ユニット１００２は、データ処理のためにローカルエリアネットワーク１０２２又はワイドエリアネットワークに結合され、リモートデバイス、例えば、他の処理ユニット、インターネット又はリモート記憶設備と通信する。
【０２０３】
図１１及び図１２は、本開示に係る方法及び教示内容を実現し得るさらに例示的なデバイスを示す。特に、図１１は、例示的なＵＥ１１１０を示し、図１２は、例示的なネットワークエレメント１２２０、例えば、基地局を示す。これらのコンポーネントは、通信システム１００、通信システム１０１、又は、任意の他の適切なシステムに用いられ得る。
【０２０４】
図１１に示されるように、ＵＥ１１１０は、少なくとも１つの処理ユニット１１００を含む。処理ユニット１１００は、ＵＥ１１１０の様々な処理操作を実現する。例えば、処理ユニット１１００は、ＵＥ１１１０が通信システム、例えば１００、１０１において動作することを可能にする信号符号化、データ処理、電力制御、入出力処理、又は、任意の他の機能を実行し得る。処理ユニット１１００はまた、本明細書でより詳細に説明される機能及び／又は実施形態のいくつか又はすべてを実現するように構成されてよい。各処理ユニット１１００は、１又は複数のオペレーションを実行するように構成される任意の適切な処理デバイス又はコンピューティングデバイスを含む。各処理ユニット１１００は、例えば、マイクロプロセッサ、マイクロコントローラ、デジタル信号プロセッサ、フィールドプログラマブルゲートアレイ又は特定用途向け集積回路を含み得る。
【０２０５】
ＵＥ１１１０はまた、少なくとも１つの送受信機１１０２を含む。送受信機１１０２は、少なくとも１つのアンテナ又はネットワークインタフェースコントローラ（ＮＩＣ）１１０４による伝送用にデータ又は他のコンテンツを変調するように構成される。送受信機１１０２はまた、少なくとも１つのアンテナ１１０４により受信されたデータ又は他のコンテンツを復調するように構成される。各送受信機１１０２は、無線又は有線伝送用の信号を生成するため、及び／又は、無線で又は有線により受信された信号を処理するための任意の適切な構造を含む。各アンテナ１１０４は、無線又は有線信号を伝送及び／又は受信するための任意の適切な構造を含む。１又は複数の送受信機１１０２は、ＵＥ１１１０において用いられ得る。１又は複数のアンテナ１１０４は、ＵＥ１１１０において用いられ得る。単一の機能ユニットとして示されているが、送受信機１１０２はまた、少なくとも１つの送信機及び少なくとも１つの別個の受信機を用いて実現され得る。
【０２０６】
ＵＥ１１１０は、１又は複数の入出力デバイス１１０６又はインタフェース（例えば、インターネットに対する有線インタフェース）をさらに含む。入出力デバイス１１０６は、ネットワーク内のユーザ又は他のデバイスとのインタラクションを可能にする。各入出力デバイス１１０６は、ユーザに情報を提供するため、又は、ユーザから情報を受信するための任意の適切な構造、例えば、スピーカ、マイク、キーパッド、キーボード、ディスプレイ又はタッチスクリーンを含み、ネットワークインタフェース通信を含む。
【０２０７】
さらに、ＵＥ１１１０は、少なくとも１つのメモリ１１０８を含む。メモリ１１０８は、ＵＥ１１１０により用いられ、生成され、又は、収集された命令及びデータを格納する。例えば、メモリ１１０８は、上記で説明された機能及び／又は実施形態のいくつか又はすべてを実現するように構成され、処理ユニット１１００により実行されるソフトウェア命令又はモジュールを格納し得る。各メモリ１１０８は、任意の適切な揮発性及び／又は不揮発性ストレージ及び検索デバイスを含む。任意の適切なタイプのメモリが用いられてよく、例えば、ランダムアクセスメモリ（ＲＡＭ）、リードオンリメモリ（ＲＯＭ）、ハードディスク、光ディスク、加入者識別モジュール（ＳＩＭ）カード、メモリスティック及びセキュアデジタル（ＳＤ）メモリカードなどである。
【０２０８】
図１２に示されるように、基地局１２２０は、少なくとも１つの処理ユニット１２００、少なくとも１つの送信機１２０２、少なくとも１つの受信機１２０４、１又は複数のアンテナ１２０６、少なくとも１つのメモリ１２０８及び１又は複数の入出力デバイス又はインタフェース１２１６を含む。送受信機（不図示）が、送信機１２０２及び受信機１２０４の代わりに用いられてよい。スケジューラは、処理ユニット１２００に結合されてよい。スケジューラは、基地局１２２０内に含まれてよい、又は、基地局１２２０とは個別に動作してよい。処理ユニット１２００は、基地局１２２０の様々な処理操作、例えば、信号符号化、データ処理、電力制御、入出力処理又は任意の他の機能を実装する。処理ユニット１２００はまた、上記でより詳細に説明された機能及び／又は実施形態のいくつか又はすべてを実現するように構成され得る。各処理ユニット１２００は、１又は複数のオペレーションを実行するように構成される任意の適切な処理デバイス又はコンピューティングデバイスを含む。各処理ユニット１２００は、例えば、マイクロプロセッサ、マイクロコントローラ、デジタル信号プロセッサ、フィールドプログラマブルゲートアレイ又は特定用途向け集積回路を含み得る。
【０２０９】
各送信機１２０２は、１又は複数のＵＥ又は他のデバイスへの無線又は有線伝送用の信号を生成するための任意の適切な構造を含む。各受信機１２０４は、１又は複数のＵＥ又は他のデバイスから無線で、又は、有線により受信された信号を処理するための任意の適切な構造を含む。別個のコンポーネントとして示されているが、少なくとも１つの送信機１２０２及び少なくとも１つの受信機１２０４は、送受信機に組み合わされ得る。各アンテナ１２０６は、無線又は有線信号を伝送及び／又は受信するための任意の適切な構造を含む。共通のアンテナ１２０６が、送信機１２０２及び受信機１２０４の両方に結合されているものとして、ここで示されているが、１又は複数のアンテナ１２０６は、送信機１２０２に結合され得、１又は複数の別個のアンテナ１２０６は、受信機１２０４に結合され得る。各メモリ１２０８は、任意の適切な揮発性及び／又は不揮発性ストレージ及び検索デバイス、例えば、ＵＥ１１１０への接続に関して上記で説明されたものを含む。メモリ１２０８は、基地局１２２０により、用いられ、生成され又は収集された命令及びデータを格納する。例えば、メモリ１２０８は、上記で説明された機能及び／又は実施形態のいくつか又はすべてを実現するように構成され、処理ユニット１２００により実行されるソフトウェア命令、又は、モジュールを格納し得る。
【０２１０】
各入出力デバイス１２０６は、ネットワーク内のユーザ又は他のデバイスとのインタラクションを可能にする。各入出力デバイス１２０６は、ユーザに情報を提供するため、又は、ユーザからの情報を受信／提供するための任意の適切な構造を含み、ネットワークインタフェース通信を含む。
【０２１１】
様々な実施形態が、本明細書で詳細に説明されている。いくつかの特徴がまた、以下にまとめられている。
【０２１２】
本明細書で提供される実施形態の方法についての１又は複数の段階は、対応するユニット又はモジュールにより実行されてよいことを理解されたい。例えば、信号は、伝送ユニット又は伝送モジュールにより伝送されてよい。信号は、受信ユニット又は受信モジュールにより受信されてよい。信号は、処理ユニット又は処理モジュールにより処理されてよい。他の段階は、サービスクラスタを確立するための確立ユニット／モジュール、インスタンス化ユニット／モジュール、セッションリンクを確立するための確立ユニット／モジュール、維持ユニット／モジュール、及び／又は、本明細書に開示される工程を実行するための他の実行ユニット／モジュールにより実行されてよい。それぞれのユニット／モジュールは、ハードウェア、ソフトウェア又はそれらの組み合わせであってよい。例として、ユニット／モジュールのうちの１又は複数は、集積回路、例えば、フィールドプログラマブルゲートアレイ（ＦＰＧＡ）又は特定用途向け集積回路（ＡＳＩＣ）であってよい。説明された事項は、単に、本開示の実施形態の原理の用途を示しているに過ぎない。他の配置及び方法が、当業者により実現され得る。
【０２１３】
図面の内容は、例示の目的のみを意図しており、本発明は、明示的に図面に示され、本明細書で説明された特定の例示的な実施形態に決して限定されるものではない。例えば、図１Ａ及び図１Ｂは、実施形態が実現され得る例示的な通信システムのブロック図である。他の実施形態は、より多くの示されるネットワークエレメントを含み、又は、示される例とは異なるトポロジを有する通信システムにおいて実現され得る。同様に、他の図面の例も、例示の目的のみを意図している。
【０２１４】
他の実施例の詳細がまた、異なる実施形態間で変化し得る。
【０２１５】
さらに、方法及びシステムのコンテキストにおいて主に説明されたが、例えば、非一時的なプロセッサ可読媒体に格納される命令のように、他の実施例も想定される。命令は、１又は複数のプロセッサにより実行される場合、１又は複数のプロセッサに方法を実行させる。
【０２１６】
さらなる例示的な実施形態がまた、以下で説明される。
【０２１７】
例１は、通信システム内の１つのＵＥ又はＵＥのグループにグラントフリー伝送用の通信リソースのセットを割り当てる段階と、グラントフリー伝送用に割り当てられた通信リソースのセットにおけるダイバーシチチャネルのセットを、ＵＥのグループ内の１つのＵＥ又は複数のＵＥに割り当てる段階とを備える方法に関する。
【０２１８】
例２は、例１の方法を含み、ＵＥがその割り当てられたダイバーシチチャネルのセットを識別する情報を各ＵＥに伝送する段階をさらに備える。
【０２１９】
例３は、例２の方法を含み、ＵＥがその割り当てられたダイバーシチチャネルのセットを識別する情報は、その割り当てられたダイバーシチチャネルのセットの明示的な識別情報、又は、その割り当てられたダイバーシチチャネルのセットの暗黙的な識別情報を有する。
【０２２０】
例４は、例１の方法を含み、ダイバーシチチャネルのセットを割り当てる段階は、複数のＵＥのそれぞれに同じダイバーシチチャネルのうちの１又は複数を割り当てる段階を有する。
【０２２１】
例５は、例１の方法を含み、ダイバーシチチャネルのセットを割り当てる段階は、各ＵＥにそれぞれのＵＥに固有のダイバーシチチャネルを割り当てる段階を有する。
【０２２２】
例６は、ＵＥにおいて、通信システム内の通信リソースのセットから、ＵＥによるグラントフリー伝送用の通信リソースのサブセットを選択する段階と、通信リソースの選択されたサブセットを用いて、ＵＥからグラントフリー伝送によりデータを伝送する段階とを備える方法に関する。
【０２２３】
例７は、例６の方法を含み、選択する段階は、ＵＥの識別子に基づいて選択する段階を有する。
【０２２４】
例８は、例６の方法を含み、選択する段階は、通信システム内のネットワーク機器からＵＥにより受信された情報に基づいて選択される。
【０２２５】
例９は、例６の方法を含み、グラントフリー伝送においてＵＥによる使用のために割り当てられる通信リソースのセットは、Ｎ個のＲＥを有し、選択する段階は、ダイバーシチチャネルｆ（ｍ、Ｎ）を選択する段階を有し、ｆはマッピングであり、ｍは、ダイバーシチチャネルにおけるＲＥの数である。
【０２２６】
例１０は、例６の方法を含み、グラントフリー伝送においてＵＥによる使用のために割り当てられる通信リソースのセットは、複数のパーティションに区分けされるアクセス領域に割り当てられるＲＥを有し、選択する段階は、関数ｆ１及びｆ２により規定される２レベルダイバーシチチャネルを選択する段階を有し、ｆ１（ｍ１、Ｎ１）であり、ｍ１は、ダイバーシチチャネルに対して割り当てられるパーティションの数であり、Ｎ１は、アクセス領域内のパーティションの総数であり、ｆ２（ｍ２、Ｎ２）であり、ｍ２は、ＵＥに対して割り当てられるＲＥの数であり、Ｎ２は、各パーティションにおけるＲＥの総数である。
【０２２７】
例１１は、例６の方法を含み、グラントフリー伝送においてＵＥによる使用のために割り当てられる通信リソースのセットは、複数のパーティションに区分けされるアクセス領域に割り当てられるＲＥを有し、選択する段階は、パーティションのそれぞれに対するＬ個の異なるダイバーシチチャネルを規定する段階と、各パーティションから別のパーティションへのホッピングパターンを規定する段階とを有する。
【０２２８】
例１２は、例６の方法を含み、選択する段階は、ルックアップテーブルから通信リソースのサブセットを選択する段階を有する。
【０２２９】
例１３は、例６から例１２のうちのいずれか１つの方法を含み、データのグラントフリー再伝送用の通信リソースのさらなるサブセットを選択する段階と、通信リソースの選択されたさらなるサブセットを用いて、ＵＥからグラントフリー伝送によりデータを再伝送する段階とをさらに備える。
【０２３０】
例１４は、通信システム内の通信リソースのサブセットを用いて、ＵＥからグラントフリー伝送によりデータを伝送する段階と、データのグラントフリー再伝送用の通信リソースのさらなるサブセットを選択する段階と、通信リソースの選択されたさらなるサブセットを用いて、ＵＥからグラントフリー伝送によりデータを再伝送する段階とを備える方法に関する。
【０２３１】
例１５は、例１４の方法を含み、通信リソースのさらなるサブセットを選択する段階、及び、データを再伝送する段階は、データが伝送された受信機からの否定応答の受信に応答する。
【０２３２】
例１６は、例１４の方法を含み、通信リソースのサブセット及びさらなるサブセットの両方は、伝送する段階の前に選択される。
【０２３３】
例１７は、例１４の方法を含み、通信リソースのさらなるサブセットに関して、例７から例１２のうちのいずれか１つに挙げられた特徴を有する。
【０２３４】
例１８は、ネットワークエンティティにより、アクセス領域の第１のダイバーシチチャネルにおいて、第１のＵＥから第１のアップリンクグラントフリー伝送を受信する段階と、ネットワークエンティティにより、アクセス領域の第２のダイバーシチチャネルにおいて、第２のＵＥから第２のアップリンクグラントフリー伝送を受信する段階であって、第１のダイバーシチチャネル及び第２のダイバーシチチャネルは、少なくとも１つのＲＥを有し、アクセス領域において部分的に重複する、段階とを備える、アップリンク伝送のための方法に関する。
【０２３５】
例１９は、例１８の方法を含み、受信する段階の前に、ネットワークエンティティにより、第１のＵＥ及び第２のＵＥを少なくとも有するＵＥのグループに対してアクセス領域を割り当てる段階をさらに有する。
【０２３６】
例２０は、例１８から例１９のうちのいずれか１つの方法を含み、ネットワークエンティティにより、第１のＵＥに対して第１のダイバーシチチャネルを割り当てる段階と、ネットワークエンティティにより、第２のＵＥに対して第２のダイバーシチチャネルを割り当てる段階とをさらに有する。
【０２３７】
例２１は、例１８から例２０のうちのいずれか１つの方法を含み、アクセス領域の複数のパーティションからパーティションを選択し、次に、選択されたパーティションから少なくとも１つのＲＥを選択することにより、第１のアップリンクグラントフリー伝送用に選択される少なくとも１つのＲＥを、第１のダイバーシチチャネルにおける１つのＲＥが有する。
【０２３８】
例２２は、例１８から例２１のうちのいずれか１つの方法を含み、ネットワークエンティティにより、第１のＵＥに情報を伝送する段階をさらに備え、情報は、第１のＵＥに割り振られる第１のダイバーシチチャネルを示すために用いられる。
【０２３９】
例２３は、例１８から例２２のうちのいずれか１つの方法を含み、情報は、第１のダイバーシチチャネルの明示的な識別情報又は第１のダイバーシチチャネルの暗黙的な識別情報を有する。
【０２４０】
例２４は、例１８から例２３のうちのいずれか１つの方法を含み、アクセス領域は、ダイバーシチチャネルパーティションの少なくとも第１レベルを有し、ダイバーシチチャネルパーティションの第１レベルにおける１つのＲＥは、ダイバーシチチャネルパーティションの少なくとも１つの第２レベルを有する。
【０２４１】
例２５は、ユーザ機器（ＵＥ）により、アクセス領域の第１のダイバーシチチャネルを取得する段階であって、アクセス領域は、ＵＥのグループ用の複数のダイバーシチチャネルを含み、第１のダイバーシチチャネルは、少なくとも１つのリソースエレメント（ＲＥ）を有し、第２のダイバーシチチャネルと部分的に重複する、段階と、ＵＥにより、グラント情報を受信することなく、第１のダイバーシチチャネルにおいてアップリンクグラントフリー伝送を伝送する段階とを備える方法に関する。
【０２４２】
例２６は、例２５の方法を含み、取得する段階は、ＵＥの識別子に基づいて、第１のダイバーシチチャネルを取得する段階を有する。
【０２４３】
例２７は、例２５の方法を含み、取得する段階は、ネットワーク機器からＵＥにより受信された情報に基づいて、第１のダイバーシチチャネルを取得する段階を有する。
【０２４４】
例２８は、例２５の方法を含み、アクセス領域は、Ｎ個のリソースエレメント（ＲＥ）を有し、取得する段階は、第１のダイバーシチチャネルとして、ダイバーシチチャネルｆ（ｍ、Ｎ）を取得する段階であって、ｆはマッピングであり、ｍは、ダイバーシチチャネルにおけるＲＥの数である、段階を有する。
【０２４５】
例２９は、例２５の方法を含み、アクセス領域は、複数のパーティションに区分けされており、取得する段階は、第１のダイバーシチチャネルとして、関数ｆ１及びｆ２により規定される２レベルダイバーシチチャネルを取得する段階を有し、ｆ１（ｍ１、Ｎ１）であり、ｍ１は、ダイバーシチチャネルに対して割り当てられるパーティションの数であり、Ｎ１は、アクセス領域内のパーティションの総数であり、ｆ２（ｍ２、Ｎ２）であり、ｍ２は、ＵＥに対して割り当てられるＲＥの数であり、Ｎ２は、各パーティションにおけるＲＥの総数である。
【０２４６】
例３０は、例２５の方法を含み、アクセス領域は、複数のパーティションに区分けされており、取得する段階は、パーティション及び各パーティションから別のパーティションへのホッピングパターンのそれぞれに関するＬ個の異なるダイバーシチチャネルとして、第１のダイバーシチチャネルを規定する段階を有する。
【０２４７】
例３１は、例２５の方法を含み、取得する段階は、ルックアップテーブルから第１のダイバーシチチャネルを取得する段階を有する。
【０２４８】
例３２は、例２４から例３１のうちのいずれか１つの方法を含み、さらなるダイバーシチチャネルを取得する段階と、ＵＥにより、グラント情報を受信することなく、さらなるダイバーシチチャネルにおいてアップリンクグラントフリー再伝送を伝送する段階とをさらに有する。
【０２４９】
例３３は、例２４から例３２のうちのいずれか１つの方法を含み、アクセス領域は、ダイバーシチチャネルパーティションの少なくとも第１レベルを有し、ダイバーシチチャネルパーティションの第１レベルにおける１つのＲＥは、ダイバーシチチャネルパーティションの少なくとも１つの第２レベルを有する。
【０２５０】
例３４は、ユーザ機器（ＵＥ）により、グラント情報を受信することなく、アクセス領域の第１のダイバーシチチャネルにおいてアップリンクグラントフリー伝送を伝送する段階であって、アクセス領域は、ＵＥのグループ用の複数のダイバーシチチャネルを含み、第１のダイバーシチチャネルは、少なくとも１つのリソースエレメント（ＲＥ）を有し、第２のダイバーシチチャネルと部分的に重複する、段階と、さらなるダイバーシチチャネルを取得する段階と、ＵＥにより、グラント情報を受信することなく、さらなるダイバーシチチャネルにおいてアップリンクグラントフリー再伝送を伝送する段階とを備える方法に関する。
【０２５１】
例３５は、例３４の方法を含み、取得する段階及びアップリンクグラントフリー再伝送を伝送する段階は、グラントフリー伝送が伝送された受信機からの否定応答の受信に応答する。
【０２５２】
例３６は、例３４の方法を含み、第１のダイバーシチチャネル及びさらなるダイバーシチチャネルの両方は、アップリンクグラントフリー伝送を伝送する段階の前に取得される。
【０２５３】
例３７は、例３４の方法を含み、さらなるダイバーシチチャネルに関して、例２５から例３２のうちのいずれか１つに挙げられた特徴を有する。
【０２５４】
例３８は、１又は複数のプロセッサにより実行される場合、１又は複数のプロセッサに、例１から例３７のうちの任意の１又は複数に係る方法を実行させる命令を格納する非一時的なプロセッサ可読媒体に関する。
【０２５５】
例３９は、送信機と、送信機に動作可能に結合され、通信システム内の１つのＵＥ又はＵＥのグループにグラントフリー伝送用の通信リソースのセットを割り当て、グラントフリー伝送用に割り当てられた通信リソースのセットにおけるダイバーシチチャネルのセットを、ＵＥのグループ内の１つのＵＥ又は複数のＵＥに割り当てるリソースマネージャとを備える装置に関する。
【０２５６】
例４０は、例３９の装置を含み、リソースマネージャは、例２から例５のうちのいずれか１つの機能を実装するように構成される。
【０２５７】
例４１は、通信システム内の通信リソースのセットから、ＵＥによるグラントフリー伝送用の通信リソースのサブセットを選択するリソースマネージャと、リソースマネージャに動作可能に結合され、通信リソースの選択されたサブセットを用いて、ＵＥからグラントフリー伝送によりデータを伝送する送信機とを備えるＵＥに関する。
【０２５８】
例４２は、例４１のＵＥを含み、リソースマネージャ、リソースマネージャに結合される送信機及び受信機のうちの１又は複数は、例７から例１７のうちのいずれか１つの機能を実装するように構成される。
【０２５９】
例４３は、ネットワークエンティティにおいて、アクセス領域の第１のダイバーシチチャネルにおいて、第１のユーザ機器（ＵＥ）から第１のアップリンクグラントフリー伝送を受信し、アクセス領域の第２のダイバーシチチャネルにおいて、第２のＵＥから第２のアップリンクグラントフリー伝送を受信する受信機であって、第１のダイバーシチチャネル及び第２のダイバーシチチャネルは、少なくとも１つのリソースエレメント（ＲＥ）を有し、アクセス領域において部分的に重複する、受信機を備える装置に関する。
【０２６０】
例４４は、例４３の装置を含み、例１９から例２４のうちのいずれか１つの機能を実装するように構成される。
【０２６１】
例４５は、アクセス領域の第１のダイバーシチチャネルを取得するリソースマネージャであって、アクセス領域は、ＵＥのグループ用の複数のダイバーシチチャネルを含み、第１のダイバーシチチャネルは、少なくとも１つのリソースエレメント（ＲＥ）を有し、第２のダイバーシチチャネルと部分的に重複する、リソースマネージャと、リソースマネージャに動作可能に結合され、グラント情報を受信することなく、第１のダイバーシチチャネルにおいてアップリンクグラントフリー伝送を伝送する送信機とを備えるＵＥに関する。
【０２６２】
例４６は、例４５のＵＥを含み、リソースマネージャ、リソースマネージャに結合される送信機及び受信機のうちの１又は複数は、例２６から例３３のうちのいずれか１つの機能を実装するように構成される。
【０２６３】
いくつかの実施形態において、グラントフリー伝送用の通信リソースのセットは、通信システムにおける１つのＵＥ又はＵＥのグループに割り当てられる。割り当てられた通信リソースのセット内のダイバーシチチャネルのセットが、ＵＥのグループ内の１つのＵＥ又は複数のＵＥに割り当てられる。ＵＥにおいて、通信リソースのサブセット（ダイバーシチチャネル）は、ＵＥによるグラントフリー伝送のために選択され、データは、通信リソースの選択されたサブセットを用いて、ＵＥからグラントフリー伝送により伝送される。ダイバーシチチャネル／通信リソースのサブセット割り当て又は選択は、ＵＥに固有であってもそうでなくてもよい。ダイバーシチチャネル／通信リソースのサブセットはまた、データの再伝送のために割り当てられ又は選択され得る。
【図１Ａ】
2019537851.tif 000004
【図１Ｂ】
2019537851.tif 000005
【図２】
2019537851.tif 000006
【図３】
2019537851.tif 000007
【図４】
2019537851.tif 000008
【図４Ａ】
2019537851.tif 000009
【図５】
2019537851.tif 000010
【図６】
2019537851.tif 000011
【図７】
2019537851.tif 000012
【図７Ａ】
2019537851.tif 000013
【図８】
2019537851.tif 000014
【図９】
2019537851.tif 000015
【図１０】
2019537851.tif 000016
【図１１】
2019537851.tif 000017
【図１２】
2019537851.tif 000018
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
アップリンクデータ伝送のための方法であって、
ユーザ機器（ＵＥ）により、アップリンクグラントフリーデータ伝送のための少なくとも１つのダイバーシチチャネルを取得する段階であって、前記少なくとも１つのダイバーシチチャネルは、前記ＵＥに割り当てられるアップリンクグラントフリー伝送リソースを有し、前記アップリンクグラントフリー伝送リソースは、アクセス領域のパーティションに対応する１又は複数の位置と、前記アクセス領域の各パーティション内のリソースエレメント（ＲＥ）に対応する１又は複数の位置とを有する、段階と、
前記ＵＥにより、ネットワーク機器からグラント情報を受信することなく、前記少なくとも１つのダイバーシチチャネルにおいてアップリンクの最初のデータ伝送及び後続の伝送を伝送する段階と
を備える方法。
【請求項２】
前記ＵＥにより、前記少なくとも１つのダイバーシチチャネルを示すためのシグナリングを受信する段階であって、前記シグナリングは、前記少なくとも１つのダイバーシチチャネルとの間で予め定められた関係を有する少なくとも１つのインデックスを有する、段階をさらに備える、請求項１に記載の方法。
【請求項３】
前記少なくとも１つのダイバーシチチャネルは、前記ＵＥの識別情報と関連付けられており、前記ＵＥは、前記ＵＥの前記識別情報に基づいて、ルックアップテーブルから前記少なくとも１つのダイバーシチチャネルを取得する、請求項１又は２に記載の方法。
【請求項４】
前記少なくとも１つのダイバーシチチャネルは、関数ｆ１及びｆ２により規定される２レベルダイバーシチチャネルであり、
ｆ１（ｍ１、Ｎ１）であり、ｍ１は、前記ダイバーシチチャネルに対して割り当てられるパーティションの数であり、Ｎ１は、前記アクセス領域内のパーティションの総数であり、
ｆ２（ｍ２、Ｎ２）であり、ｍ２は、前記ＵＥに対して割り当てられるＲＥの数であり、Ｎ２は、各パーティションにおけるＲＥの総数である、請求項１から３のいずれか一項に記載の方法。
【請求項５】
前記アクセス領域内の、前記ＵＥに割り当てられる前記ＲＥは、非連続的である、請求項１から４のいずれか一項に記載の方法。
【請求項６】
前記ネットワーク機器から否定応答（ＮＡＣＫ）を前記ＵＥが受信した後に、又は、肯定応答（ＡＣＫ）／ＮＡＣＫなしのスキームに基づいて、前記ＵＥにより、前記少なくとも１つのダイバーシチチャネルにおいて前記後続の伝送を伝送する段階をさらに備える、請求項１から５のいずれか一項に記載の方法。
【請求項７】
アップリンクデータ伝送のための方法であって、
ネットワーク機器により、第１のユーザ機器（ＵＥ）にグラント情報を伝送することなく、第１のダイバーシチチャネルにおいて、前記第１のＵＥからアップリンクの最初のデータ伝送及び後続の伝送を受信する段階
を備え、
前記第１のダイバーシチチャネルは、前記第１のＵＥに割り当てられるアップリンクグラントフリー伝送リソースを有し、前記アップリンクグラントフリー伝送リソースは、アクセス領域のパーティションに対応する１又は複数の位置と、前記アクセス領域の各パーティション内のリソースエレメント（ＲＥ）に対応する１又は複数の位置とを有する、方法。
【請求項８】
前記ネットワーク機器により、前記第１のダイバーシチチャネルを示すためのシグナリングを伝送する段階であって、前記シグナリングは、前記第１のダイバーシチチャネルとの間で予め定められた関係を有する少なくとも１つのインデックスを有する、段階をさらに備える、請求項７に記載の方法。
【請求項９】
前記第１のダイバーシチチャネルは、前記第１のＵＥの識別情報と関連付けられており、前記第１のＵＥの前記識別情報は、前記第１のダイバーシチチャネルとの間で予め定められた関係を有する、請求項７又は８に記載の方法。
【請求項１０】
ユーザ機器（ＵＥ）であって、
アップリンクグラントフリーデータ伝送のための少なくとも１つのダイバーシチチャネルを取得するように構成されるプロセッサであって、前記少なくとも１つのダイバーシチチャネルは、前記ＵＥに割り当てられるアップリンクグラントフリー伝送リソースを有し、前記アップリンクグラントフリー伝送リソースは、アクセス領域のパーティションに対応する１又は複数の位置と、前記アクセス領域の各パーティション内のリソースエレメント（ＲＥ）に対応する１又は複数の位置とを有する、プロセッサと、
前記プロセッサに動作可能に結合され、ネットワークからグラント情報を受信することなく、前記少なくとも１つのダイバーシチチャネルにおいてアップリンクの最初のデータ伝送及び後続の伝送を伝送する送信機と
を備えるＵＥ。
【請求項１１】
前記プロセッサに結合され、前記少なくとも１つのダイバーシチチャネルを示すためのシグナリングを受信する受信機であって、前記シグナリングは、前記少なくとも１つのダイバーシチチャネルとの間で予め定められた関係を有する少なくとも１つのインデックスを有する、受信機をさらに備える、請求項１０に記載のＵＥ。
【請求項１２】
前記プロセッサに結合され、前記少なくとも１つのダイバーシチチャネルが前記ＵＥの識別情報と関連付けられるルックアップテーブルを格納するメモリをさらに備え、
前記プロセッサは、前記ＵＥの前記識別情報に基づいて、前記ルックアップテーブルから前記少なくとも１つのダイバーシチチャネルを取得するように構成される、請求項１０又は１１に記載のＵＥ。
【請求項１３】
送信機と、
第１のユーザ機器（ＵＥ）にグラント情報を伝送することなく、第１のダイバーシチチャネルにおいて、前記第１のＵＥからアップリンクの最初のデータ伝送及び後続の伝送を受信する受信機と
を備え、
前記第１のダイバーシチチャネルは、前記第１のＵＥに割り当てられるアップリンクグラントフリー伝送リソースを有し、前記アップリンクグラントフリー伝送リソースは、アクセス領域のパーティションに対応する１又は複数の位置と、前記アクセス領域の各パーティション内のリソースエレメント（ＲＥ）に対応する１又は複数の位置とを有する、ネットワーク機器。
【請求項１４】
前記送信機は、前記第１のダイバーシチチャネルを示すためのシグナリングを伝送するように構成され、前記シグナリングは、前記第１のダイバーシチチャネルとの間で予め定められた関係を有する少なくとも１つのインデックスを有する、請求項１３に記載のネットワーク機器。
【請求項１５】
前記第１のダイバーシチチャネルは、前記第１のＵＥの識別情報と関連付けられており、前記第１のＵＥの前記識別情報は、前記第１のダイバーシチチャネルとの間で予め定められた関係を有する、請求項１３又は１４に記載のネットワーク機器。
【手続補正２】
【補正対象書類名】明細書
【補正対象項目名】００８４
【補正方法】変更
【補正の内容】
【００８４】
ネットワークエレメント１０８ａ−ｅは、それぞれの通信リンク１１２ａ、１１２ｂ、１１２ｃ、１１２ｄ、１１２ｅを介して、アクセスネットワーク１０６内の集中型処理システム１２０に接続される。一実施形態において、各通信リンク１１２ａ−ｅは光ファイバ通信リンクである。各ネットワークエレメント１０８ａ−ｅは、集中型処理システム１２０にデータを伝送し、そのそれぞれの通信リンク１１２ａ−ｅを介して集中型処理システムからデータを受信するための回路を含む。図１Ａにおいて単一の集中型処理システムとして示されているが、集中型処理システム１２０は、１又は複数の処理及び制御サーバから成るネットワークにより実現されてよい。代替的に集中型処理システム１２０は、単一のサーバとして実現されてよい。
【手続補正３】
【補正対象書類名】明細書
【補正対象項目名】００８７
【補正方法】変更
【補正の内容】
【００８７】
この例では、通信システム１０１は、電子デバイス（ＥＤ）１１１ａ−１１１ｃ、無線アクセスネットワーク（ＲＡＮ）１２０ａ−１２０ｂ、コアネットワーク１３０、公衆交換電話網（ＰＳＴＮ）１４０、インターネット１５０及び他のネットワーク１６０を含む。一定の数のこれらのコンポーネント又はエレメントが図１Ｂに示されるが、任意の妥当な数のこれらのコンポーネント又はエレメントが通信システム１０１に含まれてよい。
【手続補正４】
【補正対象書類名】明細書
【補正対象項目名】００８９
【補正方法】変更
【補正の内容】
【００８９】
図１Ｂにおいて、ＲＡＮ１２０ａ−１２０ｂは、基地局１７０ａ−１７０ｂをそれぞれ含む。各基地局１７０ａ−１７０ｂは、ＥＤ１１１ａ−１１１ｃのうちの１又は複数と無線インタフェースで接続され、任意の他の基地局１７０ａ−１７０ｂ、コアネットワーク１３０、ＰＳＴＮ１４０、インターネット１５０及び／又は他のネットワーク１６０にアクセスすることを可能にするように構成される。例えば、基地局１７０ａ−１７０ｂは、いくつかの周知のデバイス、例えば、ベーストランシーバ基地局（ＢＴＳ）、ノードＢ（ＮｏｄｅＢ）、進化型ノードＢ（ｅＮｏｄｅＢ）、ホームｅＮｏｄｅＢ、ｇＮｏｄｅＢ、送信ポイント（ＴＰ）、サイトコントローラ、アクセスポイント（ＡＰ）又は無線ルータのうちの１又は複数を含んでよい（又はそれらのうちの１又は複数であってよい）。任意のＥＤ１１０ａ−１１０ｃは、代替的に又はさらに、任意の他の基地局１７０ａ−１７０ｂ、インターネット１５０、コアネットワーク１３０、ＰＳＴＮ１４０、他のネットワーク１６０又は上述の組み合わせとインタフェース接続する、アクセスする又は通信するように構成されてよい。通信システム１０１は、ＲＡＮ、例えば、ＲＡＮ１２０ｂを含んでよく、対応する基地局１７０ｂは、示されるようにインターネット１５０を介してコアネットワーク１３０にアクセスする。
【手続補正５】
【補正対象書類名】明細書
【補正対象項目名】００９０
【補正方法】変更
【補正の内容】
【００９０】
ＥＤ１１１ａ−１１１ｃ及び基地局１７０ａ−１７０ｂは、本明細書で説明される機能及び／又は実施形態のいくつか又はすべてを実装するように構成され得る通信機器の例である。図１Ｂに示される実施形態において、基地局１７０ａは、ＲＡＮ１２０ａの一部を形成し、他の基地局、基地局コントローラ（ＢＳＣ）、無線ネットワークコントローラ（ＲＮＣ）、リレーノード、エレメント及び／又はデバイスを含んでよい。任意の基地局１７０ａ、１７０ｂは、示されるように、単一のエレメントであってよい、又は、そうでない場合、対応するＲＡＮ内に分散される複数のエレメントであってよい。また、基地局１７０ｂは、ＲＡＮ１２０ｂの一部を形成し、他の基地局、エレメント及び／又はデバイスを含んでよい。各基地局１７０ａ−１７０ｂは、場合により、「セル」又は「カバレッジエリア」と称される、特定の地理的な地域又はエリア内で無線信号を送信及び／又は受信する。セルは、セルセクタにさらに分割されてよく、基地局１７０ａ−１７０ｂは、例えば、複数の送受信機を利用して、複数のセクタにサービスを提供してよい。いくつかの実施形態において、無線アクセス技術がサポートをするピコ又はフェムトセルが確立されてよい。いくつかの実施形態において、複数の送受信機は、例えば、多入力多出力（ＭＩＭＯ）技術を用いて、各セルに用いられ得る。示されるＲＡＮ１２０ａ−１２０ｂの数は、単なる例である。通信システム１０１を考案するにあたっては、任意の数のＲＡＮが想定され得る。
【手続補正６】
【補正対象書類名】明細書
【補正対象項目名】００９３
【補正方法】変更
【補正の内容】
【００９３】
ＲＡＮ１２０ａ−１２０ｂは、コアネットワーク１３０と通信して、様々なサービス、例えば、音声、データ及び他のサービスをＥＤ１１１ａ−１１１ｃに提供する。ＲＡＮ１２０ａ−１２０ｂ及び／又はコアネットワーク１３０は、１又は複数の他のＲＡＮ（不図示）と直接的又は間接的に通信してよく、コアネットワーク１３０により直接サービス提供されてもされなくてもよく、ＲＡＮ１２０ａ、ＲＡＮ１２０ｂ又は両方と同じ無線アクセス技術を利用してもしなくてもよい。コアネットワーク１３０は、（ｉ）ＲＡＮ１２０ａ−１２０ｂ又はＥＤ１１１ａ−１１１ｃ又は両方と、（ｉｉ）他のネットワーク（例えば、ＰＳＴＮ１４０、インターネット１５０及び他のネットワーク１６０）との間のゲートウェイアクセスとしてサービス提供してもよい。さらに、ＥＤ１１１ａ−１１１ｃのいくつか又はすべては、種々の無線技術及び／又はプロトコルを用いて、種々の無線リンク上で種々の無線ネットワークと通信するための機能を含んでよい。無線通信の代わりに（又は、これに加えて）、ＥＤは、有線通信チャネルを介してサービスプロバイダ又はスイッチ（不図示）及びインターネット１５０に通信してよい。ＰＳＴＮ１４０は、基本電話サービス（ＰＯＴＳ）を提供するための回線交換電話網を含んでよい。インターネット１５０は、コンピュータのネットワーク、及び、サブネット（イントラネット）又は両方を含み、プロトコル、例えば、ＩＰ、ＴＣＰ、ＵＤＰを組み込んでよい。ＥＤ１１１ａ−１１１ｃは、複数の無線アクセス技術に従う動作が可能なマルチモードデバイスであってよく、そのようなものをサポートするために必要な複数の送受信機を組み込んでよい。
【手続補正７】
【補正対象書類名】明細書
【補正対象項目名】００９４
【補正方法】変更
【補正の内容】
【００９４】
いくつかのタイプの通信システムにおいて、伝送はグラントベースである。例えば、図１Ａの通信システム１００において、通信リソースは、ネットワークエレメント１０８ａ−ｅ及び／又は集中型処理システム１２０によりスケジューリングされ得、ＵＥ１０４ａ−ｄは、ネットワークエレメントから、これらのリソースを用いるためのアクセスの明示的な許可を受信した後のみ、通信リソースを用いて通信トラフィックを伝送する。ＧＦ伝送は、グラントベースの伝送の代替手段であり、上述のように、通信リソースを用いるためのアクセスの明示的な許可を必要としない。通信システム、例えば１００、１０１は、ＧＦアップリンク伝送をサポートし、その結果、例えば、ＵＥは、これらのリソースを用いるための許可をまず要求又は受信することなく、ＧＦ通信リソース上にデータを伝送し得る。
【手続補正８】
【補正対象書類名】明細書
【補正対象項目名】０２６３
【補正方法】変更
【補正の内容】
【０２６３】
いくつかの実施形態において、グラントフリー伝送用の通信リソースのセットは、通信システムにおける１つのＵＥ又はＵＥのグループに割り当てられる。割り当てられた通信リソースのセット内のダイバーシチチャネルのセットが、ＵＥのグループ内の１つのＵＥ又は複数のＵＥに割り当てられる。ＵＥにおいて、通信リソースのサブセット（ダイバーシチチャネル）は、ＵＥによるグラントフリー伝送のために選択され、データは、通信リソースの選択されたサブセットを用いて、ＵＥからグラントフリー伝送により伝送される。ダイバーシチチャネル／通信リソースのサブセット割り当て又は選択は、ＵＥに固有であってもそうでなくてもよい。ダイバーシチチャネル／通信リソースのサブセットはまた、データの再伝送のために割り当てられ又は選択され得る。
［項目１］
アップリンクデータ伝送のための方法であって、
ユーザ機器（ＵＥ）により、アップリンクグラントフリーデータ伝送のための少なくとも１つのダイバーシチチャネルを取得する段階であって、上記少なくとも１つのダイバーシチチャネルは、上記ＵＥに割り当てられるアップリンクグラントフリー伝送リソースを有し、上記アップリンクグラントフリー伝送リソースは、アクセス領域のパーティションに対応する１又は複数の位置と、上記アクセス領域の各パーティション内のリソースエレメント（ＲＥ）に対応する１又は複数の位置とを有する、段階と、
上記ＵＥにより、ネットワーク機器からグラント情報を受信することなく、上記少なくとも１つのダイバーシチチャネルにおいてアップリンクの最初のデータ伝送及び後続の伝送を伝送する段階と
を備える方法。
［項目２］
上記アクセス領域内の、上記ＵＥに割り当てられる上記ＲＥは、非連続的である、項目１に記載の方法。
［項目３］
上記ＵＥにより、上記少なくとも１つのダイバーシチチャネルを示すためのシグナリングを受信する段階であって、上記シグナリングは、上記少なくとも１つのダイバーシチチャネルとの間で予め定められた関係を有する少なくとも１つのインデックスを有する、段階をさらに備える、項目１から２のいずれか一項に記載の方法。
［項目４］
上記少なくとも１つのダイバーシチチャネルは、上記ＵＥの識別情報と関連付けられており、上記ＵＥは、上記ＵＥの上記識別情報に基づいて、ルックアップテーブルから上記少なくとも１つのダイバーシチチャネルを取得する、項目１から３のいずれか一項に記載の方法。
［項目５］
上記少なくとも１つのダイバーシチチャネルは、関数ｆ１及びｆ２により規定される２レベルダイバーシチチャネルであり、
ｆ１（ｍ１、Ｎ１）であり、ｍ１は、上記ダイバーシチチャネルに対して割り当てられるパーティションの数であり、Ｎ１は、上記アクセス領域内のパーティションの総数であり、
ｆ２（ｍ２、Ｎ２）であり、ｍ２は、上記ＵＥに対して割り当てられるＲＥの数であり、Ｎ２は、各パーティションにおけるＲＥの総数である、項目１から４のいずれか一項に記載の方法。
［項目６］
上記ネットワーク機器から否定応答（ＮＡＣＫ）を上記ＵＥが受信した後に、又は、肯定応答（ＡＣＫ）／ＮＡＣＫなしのスキームに基づいて、上記ＵＥにより、上記少なくとも１つのダイバーシチチャネルにおいて上記後続の伝送を伝送する段階をさらに備える、項目１から５のいずれか一項に記載の方法。
［項目７］
アップリンクデータ伝送のための方法であって、
ネットワーク機器により、第１のユーザ機器（ＵＥ）にグラント情報を伝送することなく、第１のダイバーシチチャネルにおいて、上記第１のＵＥからアップリンクの最初のデータ伝送及び後続の伝送を受信する段階
を備え、
上記第１のダイバーシチチャネルは、上記第１のＵＥに割り当てられるアップリンクグラントフリー伝送リソースを有し、上記アップリンクグラントフリー伝送リソースは、アクセス領域のパーティションに対応する１又は複数の位置と、上記アクセス領域の各パーティション内のリソースエレメント（ＲＥ）に対応する１又は複数の位置とを有する、方法。
［項目８］
上記ネットワーク機器により、第２のＵＥにグラント情報を伝送することなく、第２のダイバーシチチャネルにおいて、上記第２のＵＥからアップリンクの最初のデータ伝送及び後続の伝送を受信する段階をさらに備え、
上記第１のダイバーシチチャネルは、上記第２のダイバーシチチャネルと部分的に重複する少なくとも１つのＲＥを有する、項目７に記載の方法。
［項目９］
上記ネットワーク機器により、上記第１のダイバーシチチャネルを示すためのシグナリングを伝送する段階であって、上記シグナリングは、上記第１のダイバーシチチャネルとの間で予め定められた関係を有する少なくとも１つのインデックスを有する、段階をさらに備える、項目７から８のいずれか一項に記載の方法。
［項目１０］
上記第１のダイバーシチチャネルは、上記第１のＵＥの識別情報と関連付けられており、上記第１のＵＥの上記識別情報は、上記第１のダイバーシチチャネルとの間で予め定められた関係を有する、項目７から９のいずれか一項に記載の方法。
［項目１１］
上記第１のダイバーシチチャネルは、関数ｆ１及びｆ２により規定される２レベルダイバーシチチャネルであり、
ｆ１（ｍ１、Ｎ１）であり、ｍ１は、上記ダイバーシチチャネルに対して割り当てられるパーティションの数であり、Ｎ１は、上記アクセス領域内のパーティションの総数であり、
ｆ２（ｍ２、Ｎ２）であり、ｍ２は、上記ＵＥに対して割り当てられるＲＥの数であり、Ｎ２は、各パーティションにおけるＲＥの総数である、項目７から１０のいずれか一項に記載の方法。
［項目１２］
ユーザ機器（ＵＥ）であって、
アップリンクグラントフリーデータ伝送のための少なくとも１つのダイバーシチチャネルを取得するように構成されるプロセッサであって、上記少なくとも１つのダイバーシチチャネルは、上記ＵＥに割り当てられるアップリンクグラントフリー伝送リソースを有し、上記アップリンクグラントフリー伝送リソースは、アクセス領域のパーティションに対応する１又は複数の位置と、上記アクセス領域の各パーティション内のリソースエレメント（ＲＥ）に対応する１又は複数の位置とを有する、プロセッサと、
上記プロセッサに動作可能に結合され、ネットワークからグラント情報を受信することなく、上記少なくとも１つのダイバーシチチャネルにおいてアップリンクの最初のデータ伝送及び後続の伝送を伝送する送信機と
を備えるＵＥ。
［項目１３］
上記アクセス領域内の、上記ＵＥに割り当てられる上記ＲＥは、非連続的である、項目１２に記載のＵＥ。
［項目１４］
上記プロセッサに結合され、上記少なくとも１つのダイバーシチチャネルを示すためのシグナリングを受信する受信機であって、上記シグナリングは、上記少なくとも１つのダイバーシチチャネルとの間で予め定められた関係を有する少なくとも１つのインデックスを有する、受信機をさらに備える、項目１２から１３のいずれか一項に記載のＵＥ。
［項目１５］
上記プロセッサに結合され、上記少なくとも１つのダイバーシチチャネルが上記ＵＥの識別情報と関連付けられるルックアップテーブルを格納するメモリをさらに備え、
上記プロセッサは、上記ＵＥの上記識別情報に基づいて、上記ルックアップテーブルから上記少なくとも１つのダイバーシチチャネルを取得するように構成される、
項目１２から１４のいずれか一項に記載のＵＥ。
［項目１６］
上記少なくとも１つのダイバーシチチャネルは、関数ｆ１及びｆ２により規定される２レベルダイバーシチチャネルであり、
ｆ１（ｍ１、Ｎ１）であり、ｍ１は、上記ダイバーシチチャネルに対して割り当てられるパーティションの数であり、Ｎ１は、上記アクセス領域内のパーティションの総数であり、
ｆ２（ｍ２、Ｎ２）であり、ｍ２は、上記ＵＥに対して割り当てられるＲＥの数であり、Ｎ２は、各パーティションにおけるＲＥの総数である、項目１２から１５のいずれか一項に記載のＵＥ。
［項目１７］
送信機と、
第１のユーザ機器（ＵＥ）にグラント情報を伝送することなく、第１のダイバーシチチャネルにおいて、上記第１のＵＥからアップリンクの最初のデータ伝送及び後続の伝送を受信する受信機と
を備え、
上記第１のダイバーシチチャネルは、上記第１のＵＥに割り当てられるアップリンクグラントフリー伝送リソースを有し、上記アップリンクグラントフリー伝送リソースは、アクセス領域のパーティションに対応する１又は複数の位置と、上記アクセス領域の各パーティション内のリソースエレメント（ＲＥ）に対応する１又は複数の位置とを有する、ネットワーク機器。
［項目１８］
上記受信機は、第２のＵＥにグラント情報を伝送することなく、第２のダイバーシチチャネルにおいて、上記第２のＵＥからアップリンクの最初のデータ伝送及び後続の伝送を受信するようにさらに構成され、
上記第１のダイバーシチチャネルは、上記第２のダイバーシチチャネルと部分的に重複する少なくとも１つのＲＥを有する、項目１７に記載のネットワーク機器。
［項目１９］
上記送信機は、上記第１のダイバーシチチャネルを示すためのシグナリングを伝送するように構成され、上記シグナリングは、上記第１のダイバーシチチャネルとの間で予め定められた関係を有する少なくとも１つのインデックスを有する、項目１７から１８のいずれか一項に記載のネットワーク機器。
［項目２０］
上記第１のダイバーシチチャネルは、上記第１のＵＥの識別情報と関連付けられており、上記第１のＵＥの上記識別情報は、上記第１のダイバーシチチャネルとの間で予め定められた関係を有する、項目１７から１９のいずれか一項に記載のネットワーク機器。
［項目２１］
上記第１のダイバーシチチャネルは、関数ｆ１及びｆ２により規定される２レベルダイバーシチチャネルであり、
ｆ１（ｍ１、Ｎ１）であり、ｍ１は、上記ダイバーシチチャネルに対して割り当てられるパーティションの数であり、Ｎ１は、上記アクセス領域内のパーティションの総数であり、
ｆ２（ｍ２、Ｎ２）であり、ｍ２は、上記ＵＥに対して割り当てられるＲＥの数であり、Ｎ２は、各パーティションにおけるＲＥの総数である、項目１７から２０のいずれか一項に記載のネットワーク機器。
【国際調査報告】
2019537851.tif 000019
2019537851.tif 000020